(57)【要約】テレビジョン受像装置で視聴中の映像等の信号を簡単な操作で記録することができると共に、ユーザーの誤操作を防止できる情報記録装置及び情報記録方法が提供される。情報記録装置は、記録部と、第１の入出力部に接続する第２の入出力部と、アナログ出力端子に接続するアナログ入力端子と、情報出力部に対してコマンドを発信することにより第１の選択部の選択状態を取得する情報取得部と、該選択状態と同様に第２の入出力部またはアナログ入力端子の出力を第２の選択部で選択して記録する記録部とを備えている。
2003098623.tif 000002
【特許請求の範囲】
【請求項１】
デジタル放送信号またはアナログ放送信号のずれか一方を選択しモニタに出力する第１の選択部と、前記第１の選択部がいずれの信号を選択しているかを検知する情報出力部と、前記情報出力部の検知結果と前記デジタル放送信号を出力する第１の入出力部と、前記アナログ放送信号を出力するアナログ出力端子とを有するテレビジョン受像装置と接続され、
少なくとも前記デジタル放送信号および前記アナログ放送信号のいずれかを記録する
情報記録装置であって、
前記第１の入出力部と接続する第２の入出力部と、
前記アナログ出力端子と接続するアナログ入力端子と、
前記情報出力部の検知結果を取得する情報取得部と、
前記デジタル放送信号または前記アナログ放送信号のいずれか一方を選択する第２の選択部と、
前記第２の選択部で選択された信号をデジタル方式またはアナログ方式で記録する記録部と、
前記情報取得部で取得された前記情報出力部の検知結果が前記デジタル放送信号を選択している旨の情報であるとき、前記第２の選択部に前記デジタル放送信号を選択させると共に前記記録部に前記デジタル方式で記録させ、
前記情報取得部で取得された前記情報出力部の検知結果が前記アナログ放送信号を選択している旨の情報であるとき、前記第２の選択部に前記アナログ放送信号を選択させると共に前記記録部に前記アナログ方式で記録させる
ように制御する制御部と、
を有する情報記録装置。
【請求項２】
前記アナログ入力端子を介して入力された前記アナログ放送信号をデジタル信号に変換するエンコーダを更に有し、
前記第２の選択部は、前記デジタル放送信号または前記デジタル信号のいずれか一方を選択し、
前記制御部は、
前記情報取得部で取得された前記情報出力部の検知結果が前記デジタル放送信号を選択している旨の情報であるとき、前記第２の選択部に前記デジタル放送信号を選択させると共に前記記録部にデジタル方式で記録させ、
前記情報取得部で取得された前記情報出力部の検知結果が前記アナログ放送信号を選択している旨の情報であるとき、前記第２の選択部に前記デジタル信号を選択させると共に前記記録部にデジタル方式で記録させるように制御する、
請求項１に記載の情報記録装置。
【請求項３】
前記第２の入出力部と前記情報取得部はＩＥＥＥ１３９４規格に規定されているインターフェイスを構成する請求項１または２に記載の情報記録装置。
【請求項４】
デジタル放送信号またはアナログ放送信号のずれか一方を選択しモニタに出力する第１の選択部と、前記第１の選択部がいずれの信号を選択しているかを検知する情報出力部と、前記情報出力部の検知結果と前記デジタル放送信号を出力する第１の入出力部と、前記アナログ放送信号を出力するアナログ出力端子とを有するテレビジョン受像装置と接続され、
少なくとも前記デジタル放送信号および前記アナログ放送信号のいずれかを記録する
情報記録方法であって、
前記第１の入出力部と接続する工程と、
前記アナログ出力端子と接続する工程と、
前記情報出力部の検知結果を取得する工程と、
前記デジタル放送信号または前記アナログ放送信号のいずれか一方を選択する工程と、
前記選択する工程で選択された信号をデジタル方式またはアナログ方式で記録する工程と、
前記検知結果を取得する工程で取得された前記情報出力部の検知結果が前記デジタル放送信号を選択している旨の情報であるとき、前記選択する工程に前記デジタル放送信号を選択させると共に前記記録する工程に前記デジタル方式で記録させ、
前記検知結果を取得する工程で取得された前記情報出力部の検知結果が前記アナログ放送信号を選択している旨の情報であるとき、前記選択する工程に前記アナログ放送信号を選択させると共に前記記録する工程に前記アナログ方式で記録させる
ように制御する工程と、
を有する情報記録方法。
【請求項５】
前記アナログ出力端子と接続する工程で得られた前記アナログ放送信号をデジタル信号に変換する工程を更に有し、
前記選択する工程は、前記デジタル放送信号または前記デジタル信号のいずれか一方を選択し、
前記制御する工程は、
前記検知結果を取得する工程で取得された前記情報出力部の検知結果が前記デジタル放送信号を選択している旨の情報であるとき、前記前記選択する工程に前記デジタル放送信号を選択させると共に前記記録する工程にデジタル方式で記録させ、
前記検知結果を取得する工程で取得された前記情報出力部の検知結果が前記アナログ放送信号を選択している旨の情報であるとき、前記選択する工程に前記デジタル信号を選択させると共に前記記録する工程にデジタル方式で記録させるように制御する、
請求項４に記載の情報記録方法。
【発明の詳細な説明】
技術分野
本発明は、複数のインターフェイスを介して接続されたテレビジョン受像装置等からの映像等の信号を記録する情報記録装置および情報記録方法に関するものである。
背景技術
近年、ＩＥＥＥ１３９４規格で規定されたインターフェイスを搭載したテレビジョン受像装置や録画装置などのＡＶ関連機器、およびそれらの機器を相互に接続してデータ通信を行うシステムの開発が活発化してきている。これは、このインターフェイスが次の利点を有するためである。すなわち、アナログ・インターフェイスと比較して通信時のデータの劣化が非常に少ない、最大６３台の機器を接続できる、接続された機器は直接相互に通信することができる等の利点である。
これらの機器およびシステムによって、ユーザーは各機器で管理されているデータを各機器において相互に利用することができるようになり、ユーザーの利便性を向上することができる。
しかしながら一方で、このシステムは、ユーザーにとって良いことばかりとは必ずしも言えない面も有している。それは、各機器間の相互の接続が複雑になるため、ユーザーがこれらの接続について都度把握した上で、所望の機器とコネクションを確立させて使いこなすことが困難になってきているという面である。
このことを具体的に示すために、ＶＴＲやテレビジョン受像装置に接続されている機器が多いときに、テレビジョン受像装置のモニタに出力されているテレビジョン放送の番組信号をＶＴＲで記録しようとする場合を想定してみる。この場合、接続されている機器が多くなるにつれて、ユーザーが機器の接続状態を把握することは困難となってくる。そのため、テレビジョン受像装置からの番組信号をＶＴＲに入力する経路を直ちに設定することは、ユーザーにとって困難なこととなる。そのために、ユーザーがテレビジョン受像装置のモニタに出力されているテレビジョン放送の番組信号をＶＴＲで記録しようと思っても、直ちには記録を開始できないという不都合が発生することとなる。
以下に従来の情報記録装置について図９を用いて説明する。
図９は従来の情報記録装置の構成、従来の情報記録装置と接続されるテレビジョン受像装置の構成および従来の情報記録装置と外部機器との接続状態を示すブロック図である。
図９において、テレビジョン受像装置２０は、モニタ２１、第１の選択部２２、外部入力端子２３、アナログ放送受信部２４、デジタル放送受信部２５、第１の入出力部２６、アナログ出力端子２７、情報出力部２８およびデコーダ２９を備える。
ここで、外部入力端子２３は外部機器からのアナログ信号を入力して第１の選択部２２に出力する。アナログ放送受信部２４はチューナー等からなり、放送チャンネルを選局して取得したアナログ放送信号を第１の選択部２２に出力する。デジタル放送受信部２５はチューナー等からなり、放送チャンネルを選局して取得したデジタル放送信号をデコーダ２９および第１の入出力部２６に出力する。デコーダ２９は入力されたデジタル放送信号をモニタ２１で出力できるようにアナログ信号に変換する。第１の選択部２２は入力される信号を選択していずれかの信号をモニタ２１およびアナログ出力端子２７に出力する。第１の選択部２２は、選択端子２２ａ、２２ｂ、２２ｃと固定端子２２ｄを有している。モニタ２１は第１の選択部２２から入力された信号を出力してユーザーの視聴に供する。第１の入出力部２６はＩＥＥＥ１３９４規格に規定されるインターフェイスの一部を構成し、アナログ出力端子２７は第１の選択部２２の出力であるアナログ放送信号を外部機器に出力するコンポジット端子やＳ映像端子等のアナログ信号端子である。情報出力部２８は、ＩＥＥＥ１３９４規格に基づくコネクト・ステータス・コマンドを受信したときに、第１の選択部２２からコネクト・ステータスすなわち第１の選択部２２の選択状態を取得して、ＩＥＥＥ１３９４規格に基づくコネクト・ステータス・レスポンスを第１の入出力部２６に出力する。
また、外部機器Ａ１３および外部機器Ｂ１４はそれぞれＩＥＥＥ１３９４規格に規定するインターフェイスを搭載し映像信号等のデジタル信号を送受信するＶＴＲ等の外部機器である。
次に、情報記録装置１１０は、制御部１０１、記録部１０３、第２の選択部１０４、第２の入出力部１０５、アナログ入力端子１０６、入力経路切換釦１１３、記録方式切換釦１１４および記録開始釦１１５を備える。
ここで、入力経路切換釦１１３は入力経路指定信号を、記録方式切換釦１１４は記録方式指定信号を、記録開始釦１１５は記録開始信号を、ユーザーの操作によりそれぞれ制御部１０１に対して発信する。制御部１０１は、受信した入力経路指定信号に従って第２の選択部１０４および第２の入出力部１０５を制御する機能、受信した記録方式指定信号に従って記録部１０３を制御する機能、および受信した記録開始信号を記録部１０３に発信する機能を有するマイコン等から構成される。記録部１０３はＤ−ＶＨＳ（登録商標）等の記録ユニットである。記録部１０３は、制御部１０１からデジタル方式で記録するよう指定する記録方式指定信号を受信したときはデジタル方式で記録するよう設定し、アナログ方式で記録するよう指定する記録方式指定信号を受信したときはアナログ方式で記録するよう設定する機能と、記録開始信号を受信したときに、第２の選択部１０４から入力されるデジタル放送信号またはアナログ放送信号を記録する機能とを有する。また、第２の選択部１０４は、アナログ入力端子１０６からのアナログ放送信号と第２の入出力部１０５からのデジタル放送信号とを制御部１０１の制御により選択して、いずれかの信号を記録部１０３に出力する。第２の選択部１０４は、選択端子１０４ａおよび１０４ｂと、固定端子１０４ｃを有する。第２の入出力部１０５はＩＥＥＥ１３９４規格に規定されるインターフェイスの一部を構成し、外部機器と通信を行って、入力されたデジタル放送信号を第２の選択部１０４に出力する。アナログ入力端子１０６はコンポジット端子やＳ映像端子等のアナログ信号端子であり、外部機器の出力であるアナログ放送信号を入力して第２の選択部１０４に出力する。
なお、テレビジョン受像装置２０、情報記録装置１１０、外部機器Ａ１３および外部機器Ｂ１４はＩＥＥＥ１３９４規格に規定されるデジタル・インターフェイスで接続されており、情報記録装置１１０とテレビジョン受像装置２０との接続は、第２の入出力部１０５と第１の入出力部２６との接続により確保されている。第２の入出力部１０５は、テレビジョン受像装置２０、外部機器Ａ１３または外部機器Ｂ１４のいずれかと通信する際には、通信に必要な情報を制御部１０１から取得することにより、所望の機器とのコネクションを確立して通信を可能にする。アナログ出力端子２７とアナログ入力端子１０６とが接続されており、情報記録装置１１０はテレビジョン受像装置２０からのアナログ放送信号を受信することができる。
以上のように構成された情報記録装置について、図９を用いて、ユーザーがモニタ２１に出力して視聴している信号またはその信号のアナログ変換前の信号を記録部１０３で記録するときの動作を説明する。
まず、ユーザーがモニタ２１にデジタル放送を出力して視聴している場合に、ユーザーが記録部１０３での記録を開始するときの動作について説明する。すなわち、これは、デジタル放送受信部２５で選局されたデジタル放送信号が第１の選択部２２の固定端子２２ｄと選択端子２２ａとを接続することによりデコーダ２９に供給され、デコーダ２９でアナログ化された信号がモニタ２１に出力されている場合での記録である。
まず、ユーザーは、モニタ２１に出力されている信号がデジタル放送受信部２５で選局したデジタル放送信号をデコーダ２９でアナログ化した信号であることと、そのデジタル放送信号が第１の入出力部２６から出力されていることを適切な方法で把握する。次に、ユーザーが入力経路釦１１３を操作して、第１の入出力部２６からデジタル放送信号を入力する旨の入力経路指定信号を制御部１０１に発信することにより、制御部１０１は第２の入出力部１０５に第１の入出力部２６とのコネクションを確立させるように制御すると共に、第２の選択部１０４に選択端子１０４ａと固定端子１０４ｃとを接続させるように制御する。次に、ユーザーが記録方式切換釦１１４を操作して、デジタル方式で記録する旨の記録方式指定信号を制御部１０１に対して発信する。こうすることにより、制御部１０１が記録部１０３を制御してデジタル方式で記録するように設定させる。次に、ユーザーが記録開始釦１１５を操作して制御部１０１に対して記録開始信号を発信し、制御部１０１は記録部１０３に対して記録開始信号を発信し、記録部１０３は記録を開始する。
次に、ユーザーがモニタ２１にアナログ放送を出力して視聴している場合、すなわち、第１の選択部２２の固定端子２２ｄと選択端子２２ｂとを接続することによりアナログ放送受信部２４で選局したアナログ放送信号をモニタ２１に出力している場合に、ユーザーが記録部１０３での記録を開始するときの動作について説明する。
まず、ユーザーは、モニタ２１に出力されている信号がアナログ放送受信部２４で選局したアナログ放送信号であり、そのアナログ放送信号がアナログ出力端子２７から出力されていることを適切な方法で把握する。次に、ユーザーが入力経路釦１１３を操作して、アナログ出力端子２７からアナログ放送信号を入力する旨の入力経路指定信号を制御部１０１に発信する。こうすることにより、制御部１０１が第２の選択部１０４を制御して選択端子１０４ｂと固定端子１０４ｃとを接続する。次に、ユーザーが記録方式切換釦１１４を操作して、アナログ方式で記録する旨の記録方式指定信号を制御部１０１に対して発信することにより、制御部１０１が記録部１０３を制御してアナログ方式で記録するように設定させる。次に、ユーザーが記録開始釦１１５を操作して制御部１０１に対して記録開始信号を発信し、制御部１０１は記録部１０３に対して記録開始信号を発信し、記録部１０３は記録を開始する。
以上の動作により、ユーザーが、モニタ２１への出力信号がどこから入力されたものなのか、すなわち第１の選択部２２の選択状態を把握するとともに、入力経路切換釦１１３、記録方式切換釦１１４および記録開始釦１１５の順に操作して入力経路および記録方式を設定して記録を開始する。こうすることにより、テレビジョン受像装置２０で視聴している映像等の信号を情報記録装置１１０に記録することができる。
しかしながら上記の従来の構成では、テレビジョン受像装置２０で視聴している信号を情報記録装置１１０に記録するためには、ユーザーはモニタ２１への出力信号がどこから入力されたものなのかを把握すると共に、入力経路切換釦１１３、記録方式切換釦１１４および記録開始釦１１５の順に操作して入力経路および記録方式を設定して記録を開始する必要があるため、操作性が悪いという問題点を有していた。
また、上記のユーザーの操作に誤りがあった場合には、ユーザーが意図していない信号を情報記録装置１１０で記録する場合があり、この点においても操作性が悪かった。例えば、テレビジョン受像装置２０でアナログ放送を受信してモニタ２１に出力して視聴しているときに、ユーザーがそのアナログ放送のアナログ放送信号を記録するよう意図しているにも関わらず、誤って第１の入出力部２６からのデジタル放送信号を記録するよう入力経路を設定した場合は、ユーザーが意図したアナログ放送は記録されずにデジタル放送が記録される。また逆に、テレビジョン受像装置２０でデジタル放送を受信しているときに、ユーザーがそのデジタル放送のデジタル放送信号を記録するよう意図しているにも関わらず、誤ってアナログ出力端子２７からのアナログ放送信号を記録するよう入力経路を設定した場合は、そのデジタル放送信号のアナログ化された信号がアナログ方式で情報記録装置１１０に受信され記録される。
発明の開示
情報記録装置は、
デジタル放送信号またはアナログ放送信号のずれか一方を選択しモニタに出力する第１の選択部と、第１の選択部がいずれの信号を選択しているかを検知する情報出力部と、情報出力部の検知結果とデジタル放送信号を出力する第１の入出力部と、アナログ放送信号を出力するアナログ出力端子とを有するテレビジョン受像装置と接続され、
少なくともデジタル放送信号およびアナログ放送信号のいずれかを記録する
情報記録装置であって、
第１の入出力部と接続する第２の入出力部と、
アナログ出力端子と接続するアナログ入力端子と、
情報出力部の検知結果を取得する情報取得部と、
デジタル放送信号またはアナログ放送信号のいずれか一方を選択する第２の選択部と、
第２の選択部で選択された信号をデジタル方式またはアナログ方式で記録する記録部と、
情報取得部で取得された情報出力部の検知結果がデジタル放送信号を選択している旨の情報であるとき、第２の選択部にデジタル放送信号を選択させると共に記録部にデジタル方式で記録させ、
情報取得部で取得された情報出力部の検知結果がアナログ放送信号を選択している旨の情報であるとき、第２の選択部にアナログ放送信号を選択させると共に記録部にアナログ方式で記録させるように制御する制御部と、
を有する。
情報記録方法は、
デジタル放送信号またはアナログ放送信号のずれか一方を選択しモニタに出力する第１の選択部と、第１の選択部がいずれの信号を選択しているかを検知する情報出力部と、情報出力部の検知結果とデジタル放送信号を出力する第１の入出力部と、アナログ放送信号を出力するアナログ出力端子とを有するテレビジョン受像装置と接続され、
少なくともデジタル放送信号およびアナログ放送信号のいずれかを記録する
情報記録方法であって、
第１の入出力部と接続する工程と、
アナログ出力端子と接続する工程と、
情報出力部の検知結果を取得する工程と、
デジタル放送信号またはアナログ放送信号のいずれか一方を選択する工程と、
選択する工程で選択された信号をデジタル方式またはアナログ方式で記録する工程と、
検知結果を取得する工程で取得された情報出力部の検知結果がデジタル放送信号を選択している旨の情報であるとき、選択する工程にデジタル放送信号を選択させると共に記録する工程にデジタル方式で記録させ、
検知結果を取得する工程で取得された情報出力部の検知結果がアナログ放送信号を選択している旨の情報であるとき、選択する工程にアナログ放送信号を選択させると共に記録する工程にアナログ方式で記録させる
ように制御する工程と、
を有する。
発明を実施する最良の形態
以下、本発明の実施の形態について、図１乃至図８を用いて説明する。
（実施の形態１）
図１は、本発明の実施の形態１における情報記録装置の構成、本情報記録装置と接続されるテレビジョン受像装置の構成および本情報記録装置と外部機器との接続状態を示すブロック図である。
図１において、外部機器Ａ１３、Ｂ１４はＶＴＲ等の電子機器であり、ＩＥＥＥ１３９４規格に規定されたインターフェイスを備えている。このうち外部機器Ａ１３は、帯域レジスタ（図示せず）とチャンネルレジスタ（図示せず）とを有しており、バスの通信帯域を管理するＩＲＭ（Ｉｓｏｃｈｒｏｎｏｕｓ  Ｒｅｓｏｕｒｃｅ  Ｍａｎａｇｅｒ）としての機能を有する。また、外部機器Ｂ１４はバスに同期クロックを出力するサイクル・マスターとしての機能を有する。なお、テレビジョン受像装置２０の構成は、図９と同様であるため説明を省略する。
次に、情報記録装置１０、テレビジョン受像装置２０、外部機器Ａ１３および外部機器Ｂ１４の各接続状態について図１を用いて説明する。各機器の接続状態は、物理的には、テレビジョン受像装置２０と情報記録装置１０、情報記録装置１０と外部機器Ａ１３、外部機器Ａ１３と外部機器Ｂ１４とがそれぞれデイジーチェーン状に接続されている状態である。また、論理的には、それぞれの機器がＩＥＥＥ１３９４規格に規定されるバス上に接続された状態である。このバス上に接続された各機器は、バスを介して相互にデータ交換が可能であり、そのデータ交換の方式すなわち通信方式として、アシンクロナス通信およびアイソクロナス通信の２種類の通信方式のうちいずれかを選択してデータ交換を行う。
ここで、アシンクロナス通信は非同期である代わりにパケットロスの無い送信信頼性が保証された通信方式であり、それに対してアイソクロナス通信はリアルタイム性が保証されている通信方式である。従って、接続機器間での制御コマンドは、リアルタイム性よりも送信信頼性が重視されるためアシンクロナス通信で送信され、一方で放送信号等のリアルタイム性を要求される信号はアイソクロナス通信で送信される。
次に、本実施の形態１に係る情報記録装置について説明する。
情報記録装置１０は、制御部１、記憶部２、記録部３、第２の選択部４、第２の入出力部５、アナログ入力端子６、情報取得部７および操作釦８を備える。
ここで、操作釦８はユーザーの操作により記録開始信号を制御部１に発信する。
記憶部２は、第２の入出力部５でコネクションを確立するための、接続先としてのテレビジョン受像装置２０に関する情報（以下、接続情報という）を記憶し、制御部１にその接続情報を出力する。
制御部１は、次の機能を有するマイコン等から構成される。その機能は、第１に、記録開始信号を受信したとき、第２の入出力部５に対して制御信号としてのコネクション確立命令信号を発信すると共に、情報取得部７に対して制御信号としてのコマンド発信命令信号を発信する機能である。また第２に、コネクト・ステータス・レスポンスを示す信号に基づいて、記録部３に記録する信号の入力経路および記録部３の記録方式を決定して、第２の選択部４、第２の入出力部５および記録部３のそれぞれに対して制御信号を出力する機能である。
記録部３は、第２の選択部４から入力される信号を、制御部１から制御信号としてデジタル記録指定信号を受信したときはデジタル方式で、アナログ記録指定信号を受信したときはアナログ方式で記録するＤ−ＶＨＳ等の記録ユニットである。
第２の選択部４は、第２の入出力部５からのデジタル放送信号とアナログ入力端子６からのアナログ放送信号を選択して記録部３に出力する。第２の選択部４は、制御部１から制御信号としてのデジタル接続指定信号を受信したときはデジタル放送信号を、アナログ接続指定信号を受信したときはアナログ放送信号を選択する。なお、第２の選択部４は、選択端子４ａおよび４ｂと固定端子４ｃを有する。
第２の入出力部５は、ＩＥＥＥ１３９４規格に規定されるインターフェイスの一部を構成し、バス上のデジタル放送信号を入力して第２の選択部４または情報取得部７に出力する。この第２の入出力部５は、制御部１から制御信号としてのコネクション確立命令信号を受信したとき、制御部１から接続情報を取得して、その接続情報に基づいて第１の入出力部２６とのコネクションを確立して、テレビジョン受像装置２０とのデジタル方式による通信を可能にする。また、アナログ入力端子６は、アナログ出力端子２７の出力であるアナログ放送信号を入力して第２の選択部４に出力するアナログ信号端子であり、例えば、コンポジット端子やＳ映像端子等である。
情報取得部７は、制御部１からコマンド発信命令信号を受信したとき、テレビジョン受像装置２０の情報出力部２８に対して、第２の入出力部５および第１の入出力部２６からなるインターフェイスを介してコネクト・ステータス・コマンドを送信する。また、情報取得部７は、情報出力部２８から出力されるコネクト・ステータス・レスポンスを取得して、そのコネクト・ステータス・レスポンスに対応した信号を制御部１に出力する。
なお、デジタル放送信号と記載した場合は、映像信号、音声信号、文字データ等の信号またはこれらの組み合わせの信号をデジタル化したものを意味し、アナログ放送信号と記載した場合は、映像信号、音声信号の信号またはこれらの組み合わせの信号をアナログ化したものを意味する。また、記録部３は映像信号等の信号をデジタル方式またはアナログ方式で記録することができるものであれば良く、Ｄ−ＶＨＳに限定されるものではない。
また、情報取得部７から出力されるコネクト・ステータス・コマンドおよび情報出力部２８から出力されるコネクト・ステータス・レスポンスは、ＩＥＥＥ１３９４規格で規定されているＡＶＣコマンドである。
ここで、ＡＶＣコマンドはバス上に接続された機器間で交換される制御コマンドであり、パケットに変換された後アシンクロナス通信によりバス上に出力される。以下、このＡＶＣコマンドを構成するパケット構造、すなわちＡＶＣコマンドフレームについて図２を用いて説明する。併せて、コネクト・ステータス・コマンドおよびコネクト・ステータス・レスポンスについて説明する。
図２はＡＶＣコマンドのパケットを示した模式図である。図２において、ＣＴＳはコマンドの種類を表している。ＣＴＳ＝００００は、このＣＴＳが００００に設定されていることを意味しており、ＡＶＣコマンドセットであることを示す。また、ｃｔｙｐｅ／ｒｅｓｐｏｎｓｅは、当該パケットがコマンドであるか、レスポンスであるかを示しており、さらに、コマンドの場合はコマンドの機能分類を示し、レスポンスの場合はコマンドの処理結果の分類を示している。次に、ｓｕｂｕｎｉｔ＿ｔｙｐｅおよびｓｕｂｕｎｉｔ＿ｉｄは送信先のサブユニットのアドレスを示しており、例えば、本発明の実施の形態１でテレビジョン受像装置２０のモニタ２１にＡＶＣコマンドを送信する際には、そのテレビジョン受像装置２０のモニタ２１を示すアドレスが割り当てられている。ｏｐｃｏｄｅは命令動作を表し、ｏｐｅｒａｎｄは命令の付加的情報を表す。送信先ではｏｐｃｏｄｅとｏｐｅｒａｎｄとを基に送信元からのコマンドを実行する。従って、コネクト・ステータス・コマンドやコネクト・ステータス・レスポンスはｃｔｙｐｅ／ｒｅｓｐｏｎｓｅとｏｐｃｏｄｅとｏｐｅｒａｎｄとの組合せで構成される。
次に、コネクト・ステータス・コマンドがバス上に出力されたときの、バス上でのパケット状態について図１および図３を用いて説明する。ここで、図３はバス上でのデータパケットの通信サイクルを示した模式図である。
図３において、横軸５０は時間である。パケット５１、５５および５７は、バス上のタイミングを取るためのサイクル・スタート・パケットであり、サイクル・マスターである外部機器Ｂ１４がバス上にブロードキャストすることにより発生する。このサイクル・スタート・パケットの出力周期は典型的には１２５マイクロ秒と規定されている。また、パケット５２ａおよび５２ｂは、バス上に接続されたいずれかの機器がｃｈＳというチャンネルを利用してバスに出力しているアイソクロナス通信のパケットである。同様にパケット５３ａおよび５３ｂはｃｈＴというチャンネルを利用したアイソクロナス通信のパケットであり、パケット５４はｃｈＷというチャンネルを利用したアイソクロナス通信のパケットである。また、パケット５６は情報取得部７が第２の入出力部５を介して出力するコネクト・ステータス・コマンドとしてのアシンクロナス通信のパケットである。また、周期５８はパケット５１でその時間長が定義され、周期５９はパケット５５でその時間長が定義される。
次に、図３における各パケットが出力されるときの動作について説明する。まず、外部機器Ｂ１４がバス上にパケット５１を出力してバスクロックの１周期が開始される。ここで、サイクル・スタート・パケットの後つまりパケット５１の出力後には、アシンクロナス通信のパケットに優先してアイソクロナス通信のパケットが出力され、更にその後、周期５８内で送信のための帯域に余裕があれば、アシンクロナス通信のパケットが出力できることが、ＩＥＥＥ１３９４規格により規定されている。なお、この帯域の管理はＩＲＭである外部機器Ａ１３が行っている。そこで、パケット５１の出力の後には、アイソクロナス通信のパケットであるパケット５２ａ、５３ａ、５４が順番に出力され、その後に通信帯域に余裕があるかどうかを外部機器Ａ１３で判断する。外部機器Ａ１３は、周期５８では通信帯域に余裕がないと判断し、ＡＶＣコマンドが出力されないよう制御して、次の周期である周期５９に移行する。
次に、周期５９では、周期５８と同様に、外部機器Ｂ１４がバス上にパケット５５を出力してバスクロックの１周期が開始され、その後、アイソクロナス通信のパケットであるパケット５２ｂおよび５３ｂが出力される。ここで、ｃｈＷのパケット５４の出力が周期５８において完了したとすると、周期５９では送信帯域に余裕ができていることを外部機器Ａ１３が判断する。また、その判断によりアシンクロナス通信のパケットの出力が許可されて、情報取得部７がパケット５６をバス上に出力する。その後、外部機器Ｂ１４がパケット５７を出力して周期５９が終了する。
以上のようにして、ＡＶＣコマンドであるコネクト・ステータス・コマンドは情報取得部７からバス上に出力される。また、以下で述べるコネクト・ステータス・レスポンスについても上記と同様の方法でアシンクロナス通信のパケットとしてバス上に出力される。
次に、本発明の実施の形態１における情報記録装置の動作を説明するためのフローチャート図４について説明する。
図４において、ユーザーが操作釦８を操作することにより、操作釦８から制御部１に記録開始信号を発信する（ステップＳ１）。そうして、制御部１が情報取得部７に対してコマンド発信命令信号を発信することにより、その情報取得部７が第２の入出力部５を介してバス上にコネクト・ステータス・コマンドを発信する（ステップＳ２）。
ここで、コネクト・ステータス・コマンドの発信は、情報出力部２８を指定して図２に示すパケットをバス上に出力することにより行われる。より詳細に説明すると、図２において、情報取得部７は、ＣＴＳには００００を設定し、ｃｔｙｐｅ／ｒｅｓｐｏｎｓｅにはＳＴＡＴＵＳコマンドである旨のコードである０００１を設定し、ｓｕｂｕｎｉｔ＿ｔｙｐｅおよびｓｕｂｕｎｉｔ＿ｉｄには情報出力部２８を示すサブユニットコードを設定し、ｏｐｃｏｄｅには第１の選択部２２の選択状態を情報出力部２８で取得して情報取得部７に返信する旨のコードを設定して、そのＡＶＣコマンドフレームをバス上に出力する。
次に、情報出力部２８がコネクト・ステータス・コマンドをバス上から受信する。その受信により、情報出力部２８が第１の選択部２２からモニタ２１への出力状況、すなわち第１の選択部２２の選択状態を検知する（ステップＴ１）。
次に、情報出力部２８が第１の選択部２２の選択状態を基にコネクト・ステータス・レスポンスを作成してバス上に出力する（ステップＴ２）。ここで、コネクト・ステータス・レスポンスは図２に示すＡＶＣコマンドフレームのフォーマットを有するものであり、情報出力部２８は、第１の選択部２２の選択状態を検知することができたとき、このコネクト・ステータス・レスポンスを作成する。すなわち、情報出力部２８は、ＣＴＳにはＡＶＣコマンドセットであることを意味する００００を設定し、ｃｔｙｐｅ／ｒｅｓｐｏｎｓｅにはステータスが遷移中でなく安定していることを意味する１１００を設定し、ｓｕｂｕｎｉｔ＿ｔｙｐｅおよびｓｕｂｕｎｉｔ＿ｉｄには情報出力部２８を意味するコードを設定し、ｏｐｃｏｄｅおよびｏｐｅｒａｎｄには第１の選択部２２の選択状態を意味するコードを設定する。作成されたコネクト・ステータス・レスポンスはアシンクロナス通信のパケットとして、図３に示すコネクト・ステータス・コマンドであるパケット５６と同様にバス上に出力される。
次に、情報取得部７が、第２の入出力部５を介してバス上のコネクト・ステータス・レスポンスを取得し、そのコネクト・ステータス・レスポンスに対応した信号を制御部１に発信する（ステップＳ３）。すなわち、コネクト・ステータス・レスポンスが第１の選択部２２で外部入力端子２３の出力またはアナログ放送受信部２４の出力を選択していることを示すときは、アナログ信号をモニタ２１で出力している旨を示す信号を情報取得部７が制御部１に発信する。コネクト・ステータス・レスポンスが第１の選択部２２でデジタル放送受信部２５の出力を選択していることを示すときは、デジタル放送信号をモニタ２１で出力している旨を示す信号を情報取得部７が制御部１に発信する。
次に、制御部１が、コネクト・ステータス・レスポンスに対応した信号を受信したとき、そのコネクト・ステータス・レスポンスに基づいてテレビジョン受像装置２０から記録部３への信号の入力経路を決定して、その入力経路を実現するために、第２の選択部４および第２の入出力部５に対して制御信号を出力する（ステップＳ４）。
ここで、ステップＳ４での処理内容を具体的に説明する。ステップＳ４での処理内容は、コネクト・ステータス・レスポンスの内容によって異なる。
まず、コネクト・ステータス・レスポンスが固定端子２２ｄと選択端子２２ａとが接続されているという内容である場合（以下、この場合のコネクト・ステータス・レスポンスをデジタル接続レスポンスという）を仮定する。この場合は、まず、制御部１は、記憶部２から接続情報を取得する。そうして、制御部１は、第２の入出力部５に対してその接続情報とコネクション確立命令信号とを、第２の選択部４に対してデジタル接続指定信号を、記録部３に対してデジタル記録指定信号をそれぞれ発信する。その後に、フローはステップＳ４からステップＳ５に移行する。
一方、情報取得部７から取得したコネクト・ステータス・レスポンスが固定端子２２ｄと選択端子２２ｂまたは２２ｃとが接続されているという内容である場合（以下、この場合のコネクト・ステータス・レスポンスをアナログ接続レスポンスという）、制御部１は、第２の選択部４に対してアナログ接続指定信号を発信すると共に記録部３に対してアナログ記録指定信号を発信する。その後に、フローはステップＳ４からステップＳ８に移行する。
デジタル接続レスポンスを受信した場合、制御部１が、記憶部２から接続情報を取得すると共に、第２の入出力部５に対してコネクション確立命令信号と接続情報とを発信し、その接続情報をもとに第２の入出力部５が第１の入出力部２６とのコネクションを確立する（ステップＳ５）。
ここで、ステップＳ５におけるコネクション確立の動作を、ステップＳ４からステップＳ５に移行した直後のシーケンスチャートである図５を参照しながら、より詳細に以下で説明する。
図５は、図１に示された情報記録装置１０、テレビジョン受像装置２０、及び外部機器Ａ１３の夫々での状態を示している。
まず、ステップＳ５に移行すると、情報記録装置１０がＩＲＭである外部機器Ａ１３に対して帯域とチャンネルを要求する（ステップＳ２１）。なお、この要求は、情報記録装置１０から外部機器Ａ１３にＡＶＣコマンドを送信することにより行われる。本発明の実施の形態１では帯域として２０マイクロ秒を要求したとする。すると、外部機器Ａ１３は帯域レジスタ７１の値を要求された分だけ下方に変更し（ステップＳ２２）、情報記録装置１０のために帯域を確保した旨のレスポンスをＡＶＣコマンドとして情報記録装置１０に返信する（ステップＳ２３）。次に、情報記録装置１０は、第１の入出力部２６に内蔵されているｏＰＣＲ（Ｏｕｔｐｕｔ  Ｐｌｕｇ  Ｃｏｎｔｒｏｌ  Ｒｅｇｉｓｔｅｒ）７２の一部であるｐｃｃ（ｐｏｉｎｔ−ｔｏ−ｐｏｉｎｔ  ｃｏｎｎｅｃｔｉｏｎ  ｃｏｕｎｔｅｒ）に１を加算し（ステップＳ２４）、ｃｈ（ｃｈａｎｎｅｌ  ｎｕｍｂｅｒ）にチャンネルＸを設定する。次に、情報記録装置１０は自らの第２の入出力部５に内蔵されているｉＰＣＲ（Ｉｎｐｕｔ  Ｐｌｕｇ  Ｃｏｎｔｒｏｌ  Ｒｅｇｉｓｔｅｒ）７３を設定する。具体的には、ｉＰＣＲ７３のｐｃｃに１を加算し、ｃｈにチャンネルＸを設定する（ステップＳ２５）。以上の動作により、帯域とチャンネルの確保ができ、テレビジョン受像装置２０から情報記録装置１０へのデジタル放送信号の受信が開始される（ステップＳ２６）。
このとき、テレビジョン受像装置２０から出力されるデジタル放送信号はパケットに変換されて、アイソクロナス通信のパケットとしてバス上に出力される。このデジタル放送信号の送信時のバス上でのパケットの状態を、図６を用いて説明する。
図６において、横軸６０は時間軸である。パケット６１および６５は外部機器Ｂ１４が出力するサイクル・スタート・パケットであり、パケット６２はテレビジョン受像装置２０から出力されるデジタル放送信号のパケットであり、チャンネルＸを利用して出力される。このパケット６２はアイソクロナス通信のパケットである。パケット６３はバス上に接続されたいずれかの機器からチャンネルＹを利用して出力されるアイソクロナス通信のパケットであり、パケット６４はバス上に接続されたいずれかの機器から出力されるアシンクロナス通信のパケットである。
次に、図６における各パケットが出力されるときの動作について説明する。まず、外部機器Ｂ１４がパケット６１を出力し、次に、テレビジョン受像装置２０がデジタル放送信号をパケット化して、パケット６２をバス上に出力する。このパケット６２は、外部機器Ａ１３からアイソクロナス通信のパケットとして取得したチャンネルＸを利用している。次に、パケット６３がチャンネルＹを利用して出力される。次に、バス上のアイソクロナス通信のパケットが全て出力された後、アシンクロナス通信のパケットであるパケット６４が出力される。その後、パケット６１の発生時から１周期分の時間である１２５マイクロ秒が経過すると、パケット６５が出力されて周期６６が完了する。周期６６以降、チャンネルＸを利用したコネクションが情報記録装置１０によって解除されるまで、デジタル放送信号はバス上に出力される。即ち、周期６６と同様の動作により、デジタル放送信号を変換したアイソクロナス通信のパケットがチャンネルＸを利用してバス上に出力され続ける。それによりデジタル放送信号のリアルタイムでの送信が実現できる。
なお、情報記録装置１０が外部機器Ａ１３に対してチャンネルを要求することによって、デジタル放送信号の受信に必要なｃｈＸを確保したため、ＩＥＥＥ１３９４の規定により情報記録装置１０でのみｃｈＸの設定を解除できる。すなわち、バス上の情報記録装置１０以外の機器を操作することによって、情報記録装置１０のデジタル放送信号の受信を阻害されるということはない。
以上の設定により、テレビジョン受像装置２０から情報記録装置１０に対して、チャンネルＸを使用したアイソクロナス通信によるデジタル放送信号の送信を開始できる。そうして、第２の選択部４がデジタル接続指定信号を受信したとき、第２の選択部４が固定端子４ｃと選択端子４ａとを接続する（ステップＳ６）。
次に、記録部３がデジタル記録指定信号を受信したとき、記録部３が第２の選択部４からデジタル放送信号を受信してデジタル記録方式で記録を開始する（ステップＳ７）。
一方、第２の選択部４がアナログ接続指定信号を受信したとき、第２の選択部４が固定端子４ｃと選択端子４ｂとを接続する（ステップＳ８）。記録部３がアナログ記録指定信号を受信したとき、記録部３が第２の選択部４からアナログ放送信号を受信してアナログ記録方式で記録を開始する（ステップＳ９）。
以上のように構成された情報記録装置１０について、図１乃至図５を用いて、ユーザーが、モニタ２１に出力して視聴しているアナログ放送信号またはデジタル放送信号を、記録部３で記録を開始するときの動作を説明する。
まず、ユーザーがモニタ２１にデジタル放送を出力して視聴している場合に、ユーザーが操作釦８を操作して記録部３での記録を開始するときの動作について説明する。すなわち、これは、デジタル放送受信部２５で選局されたデジタル放送信号が第１の選択部２２の固定端子２２ｄと選択端子２２ａとを接続することによりデコーダ２９に供給され、デコーダ２９でアナログ化された信号がモニタ２１に出力されている場合での記録である。
まず、ステップＳ１において、ユーザーが操作釦８を操作する。そうして、ステップＳ２において、情報取得部７がバス上にコネクト・ステータス・コマンドを発信する。すなわち、情報取得部７は、図２に示すＡＶＣコマンドフレームにおいてＣＴＳには００００を設定し、ｃｔｙｐｅ／ｒｅｓｐｏｎｓｅにはＳＴＡＴＵＳコマンドである旨のコードである０００１を設定し、ｓｕｂｕｎｉｔ＿ｔｙｐｅおよびｓｕｂｕｎｉｔ＿ｉｄにはモニタ２１を示すサブユニットコードを設定し、ｏｐｃｏｄｅには第１の選択部２２の選択状態を情報出力部２８で取得して情報取得部７に返信する旨のコードを設定する。情報取得部７は、こうして、コネクト・ステータス・コマンドを作成して、そのコネクト・ステータス・コマンドを図３に示すアシンクロナス通信のパケット５６としてバス上に出力する。
次に、ステップＴ１において、情報出力部２８がコネクト・ステータス・コマンドを受信し、第１の選択部２２の選択状態を取得してコネクト・ステータス・レスポンスを作成する。すなわち、情報出力部２８は、図２に示すＡＶＣコマンドフレームにおいて、ＣＴＳにはＡＶＣコマンドセットであることを意味する００００を設定し、ｃｔｙｐｅ／ｒｅｓｐｏｎｓｅにはステータスが遷移中でなく安定していることを意味する１１００を設定し、ｓｕｂｕｎｉｔ＿ｔｙｐｅおよびｓｕｂｕｎｉｔ＿ｉｄにはモニタ２１を意味するコードを設定し、ｏｐｃｏｄｅおよびｏｐｅｒａｎｄには第１の選択部２２の選択状態が固定端子２２ｄと選択端子２２ａとを接続している状態であることを意味するコードを設定することによりＡＶＣコマンドフレームを作成する。そして、情報出力部２８は、そのコネクト・ステータス・レスポンスをアシンクロナス通信のパケットに変換して、図３に示すパケット５６と同様にバス上に出力する（ステップＴ２）。ここでは、そのコネクト・ステータス・レスポンスが選択部２２の選択状態は固定端子２２ｄと選択端子２２ａとを接続している状態であることを示しているので、そのコネクト・ステータス・レスポンスはデジタル接続レスポンスである。
次に、ステップＳ３において、情報取得部７が、バスからデジタル接続レスポンスを取得して、制御部１に対してそのデジタル接続レスポンスに対応した信号を送信する。
次に、ステップＳ４において、制御部１が、第２の選択部４に対してデジタル接続指定信号を、また第２の入出力部５に対してコネクション確立命令信号と接続情報とをそれぞれ発信すると共に、記録部３に対してデジタル記録指定信号を発信する。
次に、ステップＳ５において、第２の入出力部５が第１の入出力部２６とのコネクションを確立し、ステップＳ６において、第２の選択部４が固定端子４ｃと選択端子４ａとを接続する。最後に、ステップＳ７において、第２の選択部４から入力されるデジタル放送信号を、記録部３がデジタル方式で記録を開始する。
以上のように動作させることによって、ユーザーが操作釦８を操作するだけで、視聴しているデジタル放送のデジタル放送信号を、記録部３にデジタル方式で記録することができる。即ち、ユーザーが操作釦８を操作するだけで、デジタル放送受信部２５、デコーダ２９、選択端子２２ａおよび固定端子２２ｄからなる経路を介してモニタ２１に出力して視聴しているデジタル放送の経路が自動的に検出される。そうして、デジタル放送受信部２５、第１の入出力部２６、第２の入出力部５、選択端子４ａおよび固定端子４ｃからなる経路が自動的に確立され、この経路を介して記録部３は視聴しているデジタル放送をデジタル方式により記録することができる。
次に、ユーザーがアナログ放送をモニタ２１に出力して視聴している場合、すなわち、第１の選択部２２の固定端子２２ｄと選択端子２２ｂとを接続することによりアナログ放送受信部２４で受信したアナログ放送信号をモニタ２１に出力している場合に、ユーザーが操作釦８を操作して、そのアナログ放送信号を記録部３で記録するときの動作について説明する。
まず、ステップＳ１において、ユーザーが操作釦８を操作し、ステップＳ２において、情報取得部７がバス上にコネクト・ステータス・コマンドを発信する。すなわち、情報取得部７は、図２に示すＡＶＣコマンドフレームにおいて、ＣＴＳには００００を設定し、ｃｔｙｐｅ／ｒｅｓｐｏｎｓｅにはＳＴＡＴＵＳコマンドである旨のコードを示す０００１を設定し、ｓｕｂｕｎｉｔ＿ｔｙｐｅおよびｓｕｂｕｎｉｔ＿ｉｄには情報出力部２８を示すサブユニットコードを設定し、ｏｐｃｏｄｅには第１の選択部２２の選択状態を情報出力部２８で取得して情報取得部７に返信する旨のコードを設定する。こうして、情報取得部７はコネクト・ステータス・コマンドを作成して、そのコネクト・ステータス・コマンドを図３に示すアシンクロナス通信のパケット５６としてバス上に出力する。
次に、ステップＴ１において、情報出力部２８がコネクト・ステータス・コマンドを受信し、第１の選択部２２の選択状態を取得してコネクト・ステータス・レスポンスを作成してバス上に出力する。すなわち、情報出力部２８は、図２に示すＡＶＣコマンドフレームにおいて、ＣＴＳにはＡＶＣコマンドセットであることを意味する００００を設定し、ｃｔｙｐｅ／ｒｅｓｐｏｎｓｅにはステータスが遷移中でなく安定していることを意味する１１００を設定し、ｓｕｂｕｎｉｔ＿ｔｙｐｅおよびｓｕｂｕｎｉｔ＿ｉｄには情報出力部２８を意味するコードを設定し、ｏｐｃｏｄｅおよびｏｐｅｒａｎｄには第１の選択部２２の選択状態が固定端子２２ｄと選択端子２２ｂとを接続している状態であることを意味するコードを設定する。こうして、情報出力部２８は、コネクト・ステータス・レスポンスを作成する。そして、情報出力部２８は、そのコネクト・ステータス・レスポンスをアシンクロナス通信のパケットに変換して、図３に示すパケット５６と同様にバス上に出力する。ここで、そのコネクト・ステータス・レスポンスが選択部２２の選択状態は固定端子２２ｄと選択端子２２ｂとを接続している状態であることを示しているので、そのコネクト・ステータス・レスポンスはアナログ接続レスポンスである。
次に、ステップＳ３において、情報取得部７がバスから情報出力部２８の出力であるアナログ接続レスポンスを取得した後、制御部１に対してそのアナログ接続レスポンスに対応した信号を送信する。
次に、ステップＳ４において、制御部１が第２の選択部４に対してアナログ接続指定信号を、記録部３に対してアナログ記録指定信号をそれぞれ発信する。ステップＳ８において、第２の選択部４が固定端子４ｃと選択端子４ｂとを接続し、最後にステップＳ９において、第２の選択部４から入力されるアナログ放送信号を、記録部３がアナログ方式で記録する。
以上のように動作させることによって、ユーザーが操作釦８を操作するだけで、視聴しているアナログ放送のアナログ放送信号を、記録部３にアナログ方式で記録することができる。即ち、ユーザーが操作釦８を操作するだけで、アナログ放送受信部２４、選択端子２２ｂおよび固定端子２２ｄからなる経路を介してモニタ２１に出力して視聴しているアナログ放送の経路が自動的に検出される。そうして、アナログ放送受信部２４、選択端子２２ｂ、固定端子２２ｄ、アナログ出力端子２７、アナログ入力端子６、選択端子４ｂおよび固定端子４ｃからなる経路が自動的に確立され、この経路を介して記録部３は視聴しているアナログ放送をアナログ方式により記録することができる。
以上のように本実施の形態１によれば、テレビジョン受像装置２０から取得したコネクト・ステータス・レスポンスに基づいて、制御部１が第２の選択部４および第２の入出力部５を制御する。こうすることにより、ユーザーがテレビジョン受像装置２０のモニタ２１に出力して現在視聴している放送等の映像や音声あるいはデータ等の信号を、ユーザーは操作釦８を操作することのみにより、その信号が入力されるインターフェイスに合わせた記録方式で記録することができる。さらに、ユーザーの操作手順が簡単になるため、ユーザーは記録の際に操作を誤ることがなくなる。すなわち、テレビジョン受像装置２０で視聴中の映像等の信号を簡単な操作で記録することができると共に、ユーザーの誤操作を防止できる。
（実施の形態２）
本発明の実施の形態２に係る情報記録装置は、入力された信号がアナログ放送信号であるときもデジタル方式で記録し、そのために入力されたアナログ放送信号をデジタル化するエンコーダを設けた点で、実施の形態１に係る情報記録装置と相違する。
以下、この相違点を中心に、図７および図８を用いて実施の形態２に係る情報記録装置について説明する。なお、図７および図８において実施の形態１と同一の構成要素には同一の符号を付し説明を省略する。
図７は、本発明の実施の形態２における情報記録装置１２の構成、情報記録装置１２と接続されるテレビジョン受像装置２０の構成および情報記録装置１２と外部機器との接続状態を示すブロック図である。
図７において、エンコーダ９は、アナログ入力端子６を介して入力されたアナログ放送信号をデジタル化し、第２の選択部４に出力する回路等からなる。
また、記録部１１は第２の選択部４から入力された信号をデジタル方式で記録媒体に記録する。例えば、記録部１１としてはデジタルＶＴＲ、ハードディスクドライブ、光ディスクドライブ等のデジタル方式のみで記録するものが該当する。また、光ディスクドライブの例としては、ＤＶＤ−ＲＡＭドライブ、ＤＶＤ−ＲＷドライブ等が挙げられる。
次に、本実施の形態２に係る情報記録装置動作を説明するためのフローチャートである図８について説明する。ステップＳ８においてアナログ接続が確立された後、ステップＳ１０においてエンコーダ９がアナログ入力端子６を介して入力されたアナログ放送信号をデジタル化する。デジタル化された信号は第２の選択部４を介して記録部１１に出力され、次いでステップＳ７に移行する。
以上のように構成された情報記録装置１２について、図７および図８を用いて、ユーザーがアナログ放送をモニタ２１に出力して視聴している場合であって、ユーザーが操作釦８を操作して、そのアナログ放送信号を記録部３で記録するときの動作について説明する。すなわち、第１の選択部２２の固定端子２２ｄと選択端子２２ｂとを接続することによりアナログ放送受信部２４で受信されたアナログ放送信号をモニタ２１に出力している場合に、ユーザーが操作釦８を操作して、そのアナログ放送信号を記録部３で記録するときの動作について説明する。なお、ユーザーがデジタル放送をモニタ２１に出力して視聴している場合に、ユーザーが操作釦８を操作して、そのデジタル放送信号を記録部３で記録するときの動作は、実施の形態１に係る情報記録装置と同一であるため、説明を省略する。
まず、ステップＳ１において、ユーザーが操作釦８を操作し、ステップＳ２において、情報取得部７がバス上にコネクト・ステータス・コマンドを出力する。
次に、ステップＴ１において、まず情報出力部２８がバスからコネクト・ステータス・コマンドを受信し、第１の選択部２２の選択状態を取得してコネクト・ステータス・レスポンスを作成する。そして、情報出力部２８は、図３に示すアシンクロナス通信のパケット５６と同様に、そのコネクト・ステータス・レスポンスをパケットにしてバス上に送信する。ここでは、そのコネクト・ステータス・レスポンスが選択部２２の選択状態は固定端子２２ｄと選択端子２２ｂとを接続している状態であることを示しているので、そのコネクト・ステータス・レスポンスはアナログ接続レスポンスである。
次に、ステップＳ３において、情報取得部７がバスからアナログ接続レスポンスを取得した後、制御部１に対してそのアナログ接続レスポンスに対応した信号を送信する。次に、ステップＳ４において、制御部１が第２の選択部４に対してアナログ接続指定信号を発信する。
次に、ステップＳ８において、第２の選択部４が固定端子４ｃと選択端子４ｂとが接続され、ステップＳ１０において、アナログ入力端子６を介して入力されたアナログ放送信号をエンコーダ９がデジタル信号に変換し第２の選択部４に出力する。最後にステップＳ９において、第２の選択部４から入力された信号を、記録部３がデジタル方式で記録を開始する。
以上のように本実施の形態２によれば、実施の形態１による作用効果に加え、エンコーダ９を設けたことにより、記録部１１がハードディスクドライブ等のデジタル記録機であった場合でも、アナログ入力端子６を介して入力されるアナログ放送信号をデジタル信号に変換して記録することができる。
なお、エンコーダ９は、アナログ放送信号をデジタル信号に変換する際に、圧縮処理を施しても良い。
以上のように本発明の情報記録装置は、デジタル放送受信機能とデジタルインターフェイスとを有するテレビとデジタルインターフェイスを用いて接続した場合において、モニタに入力される信号の選択状態をユーザーが意識することなく、テレビジョン受像装置で視聴中の映像等の信号を簡単な操作で記録することができる。また、本発明の情報記録装置は、ユーザーの誤操作を防止できるという優れた効果を有する。更に、本発明の情報記録装置は、記録部がハードディスクドライブ等のデジタル記録機であった場合でも、アナログ放送信号をデジタル信号に変換して記録することができる。
産業の利用可能性
本発明の情報記録装置及び情報記録方法は、テレビジョン受像装置で視聴中の映像等の信号を簡単な操作で記録することができると共に、ユーザーの誤操作を防止できる。
また、本発明の情報記録装置及び情報記録方法は、記録部がハードディスクドライブ等のデジタル記録機であった場合でも、アナログ放送信号をデジタル信号に変換して記録することができる。
【図面の簡単な説明】
図１は、本発明の実施の形態１における情報記録装置の構成を示すブロック図である。
図２は、ＡＶＣコマンドフレームの構成を示す模式図である。
図３は、バス上のパケットの状態を示す模式図である。
図４は、本発明の実施の形態１における情報記録装置の動作を説明するためのフローチャートである。
図５は、コネクション確立時の動作を説明するためのシーケンスチャートである。
図６は、バス上のパケットの状態を示す模式図である。
図７は、本発明の実施の形態２における情報記録装置の構成を示すブロック図である。
図８は、同発明の実施の形態２における情報記録装置の動作を説明するためのフローチャートである。
図９は、従来の情報記録装置の構成を示すブロック図である。
図面の参照符号の一覧表
１    制御部
２    記憶部
３、１１    記録部
４    第２の選択部
４ａ、４ｂ    第２の選択部の選択端子
４ｃ    第２の選択部の固定端子
５    第２の入出力部
６    アナログ入力端子
７    情報取得部
８    操作釦
９    エンコーダ
１０、１２    情報記録装置
２０    テレビジョン受像装置
２１    モニタ
２２    第１の選択部
２２ａ、２２ｂ、２２ｃ    第１の選択部の選択端子
２２ｄ    第１の選択部の固定端子
２３    外部入力端子
２４    アナログ放送受信部
２５    デジタル放送受信部
２６    第１の入出力部
２７    アナログ出力端子
２８    情報出力部
２９    デコーダ
【図１】
2003098623.tif 000003
【図２】
2003098623.tif 000004
【図３】
2003098623.tif 000005
【図４】
2003098623.tif 000006
【図５】
2003098623.tif 000007
【図６】
2003098623.tif 000008
【図７】
2003098623.tif 000009
【図８】
2003098623.tif 000010
【図９】
2003098623.tif 000011
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
デジタル放送信号またはアナログ放送信号のずれか一方を選択しモニタに出力する第１の選択部と、前記第１の選択部がいずれの信号を選択しているかを検知する情報出力部と、前記情報出力部の検知結果と前記デジタル放送信号を出力する第１の入出力部と、前記アナログ放送信号を出力するアナログ出力端子とを有するテレビジョン受像装置と接続され、
少なくとも前記デジタル放送信号および前記アナログ放送信号のいずれかを記録する
情報記録装置であって、
前記第１の入出力部と接続する第２の入出力部と、
前記アナログ出力端子と接続するアナログ入力端子と、
前記情報出力部の検知結果を取得する情報取得部と、
前記デジタル放送信号または前記アナログ放送信号のいずれか一方を選択する第２の選択部と、
前記第２の選択部で選択された信号をデジタル方式またはアナログ方式で記録する記録部と、
前記情報取得部で取得された前記情報出力部の検知結果が前記デジタル放送信号を選択している旨の情報であるとき、前記第２の選択部に前記デジタル放送信号を選択させると共に前記記録部に前記デジタル方式で記録させ、
前記情報取得部で取得された前記情報出力部の検知結果が前記アナログ放送信号を選択している旨の情報であるとき、前記第２の選択部に前記アナログ放送信号を選択させると共に前記記録部に前記アナログ方式で記録させる
ように制御する制御部と、
を有する情報記録装置。
【請求項２】
前記アナログ入力端子を介して入力された前記アナログ放送信号をデジタル信号に変換するエンコーダを更に有し、
前記第２の選択部は、前記デジタル放送信号または前記デジタル信号のいずれか一方を選択し、
前記制御部は、
前記情報取得部で取得された前記情報出力部の検知結果が前記デジタル放送信号を選択している旨の情報であるとき、前記第２の選択部に前記デジタル放送信号を選択させると共に前記記録部にデジタル方式で記録させ、
前記情報取得部で取得された前記情報出力部の検知結果が前記アナログ放送信号を選択している旨の情報であるとき、前記第２の選択部に前記デジタル信号を選択させると共に前記記録部にデジタル方式で記録させるように制御する、
請求項１に記載の情報記録装置。
【請求項３】
前記第２の入出力部と前記情報取得部はＩＥＥＥ１３９４規格に規定されているインターフェイスを構成する請求項１または２に記載の情報記録装置。
【請求項４】
デジタル放送信号またはアナログ放送信号のずれか一方を選択しモニタに出力する第１の選択部と、前記第１の選択部がいずれの信号を選択しているかを検知する情報出力部と、前記情報出力部の検知結果と前記デジタル放送信号を出力する第１の入出力部と、前記アナログ放送信号を出力するアナログ出力端子とを有するテレビジョン受像装置と接続され、
少なくとも前記デジタル放送信号および前記アナログ放送信号のいずれかを記録する
情報記録方法であって、
前記第１の入出力部と接続する工程と、
前記アナログ出力端子と接続する工程と、
前記情報出力部の検知結果を取得する工程と、
前記デジタル放送信号または前記アナログ放送信号のいずれか一方を選択する工程と、
前記選択する工程で選択された信号をデジタル方式またはアナログ方式で記録する工程と、
前記検知結果を取得する工程で取得された前記情報出力部の検知結果が前記デジタル放送信号を選択している旨の情報であるとき、前記選択する工程に前記デジタル放送信号を選択させると共に前記記録する工程に前記デジタル方式で記録させ、
前記検知結果を取得する工程で取得された前記情報出力部の検知結果が前記アナログ放送信号を選択している旨の情報であるとき、前記選択する工程に前記アナログ放送信号を選択させると共に前記記録する工程に前記アナログ方式で記録させる
ように制御する工程と、
を有する情報記録方法。
【請求項５】
前記アナログ出力端子と接続する工程で得られた前記アナログ放送信号をデジタル信号に変換する工程を更に有し、
前記選択する工程は、前記デジタル放送信号または前記デジタル信号のいずれか一方を選択し、
前記制御する工程は、
前記検知結果を取得する工程で取得された前記情報出力部の検知結果が前記デジタル放送信号を選択している旨の情報であるとき、前記前記選択する工程に前記デジタル放送信号を選択させると共に前記記録する工程にデジタル方式で記録させ、
前記検知結果を取得する工程で取得された前記情報出力部の検知結果が前記アナログ放送信号を選択している旨の情報であるとき、前記選択する工程に前記デジタル信号を選択させると共に前記記録する工程にデジタル方式で記録させるように制御する、
請求項４に記載の情報記録方法。
【手続補正２】
【補正対象書類名】明細書
【補正対象項目名】全文
【補正方法】変更
【補正の内容】
【発明の詳細な説明】
【技術分野】
【０００１】
本発明は、複数のインターフェイスを介して接続されたテレビジョン受像装置等からの映像等の信号を記録する情報記録装置および情報記録方法に関するものである。
【背景技術】
【０００２】
近年、ＩＥＥＥ１３９４規格で規定されたインターフェイスを搭載したテレビジョン受像装置や録画装置などのＡＶ関連機器、およびそれらの機器を相互に接続してデータ通信を行うシステムの開発が活発化してきている。これは、このインターフェイスが次の利点を有するためである。すなわち、アナログ・インターフェイスと比較して通信時のデータの劣化が非常に少ない、最大６３台の機器を接続できる、接続された機器は直接相互に通信することができる等の利点である。
【０００３】
これらの機器およびシステムによって、ユーザーは各機器で管理されているデータを各機器において相互に利用することができるようになり、ユーザーの利便性を向上することができる。
【０００４】
しかしながら一方で、このシステムは、ユーザーにとって良いことばかりとは必ずしも言えない面も有している。それは、各機器間の相互の接続が複雑になるため、ユーザーがこれらの接続について都度把握した上で、所望の機器とコネクションを確立させて使いこなすことが困難になってきているという面である。
【０００５】
このことを具体的に示すために、ＶＴＲやテレビジョン受像装置に接続されている機器が多いときに、テレビジョン受像装置のモニタに出力されているテレビジョン放送の番組信号をＶＴＲで記録しようとする場合を想定してみる。この場合、接続されている機器が多くなるにつれて、ユーザーが機器の接続状態を把握することは困難となってくる。そのため、テレビジョン受像装置からの番組信号をＶＴＲに入力する経路を直ちに設定することは、ユーザーにとって困難なこととなる。そのために、ユーザーがテレビジョン受像装置のモニタに出力されているテレビジョン放送の番組信号をＶＴＲで記録しようと思っても、直ちには記録を開始できないという不都合が発生することとなる。
【０００６】
以下に従来の情報記録装置について図９を用いて説明する。
【０００７】
図９は従来の情報記録装置の構成、従来の情報記録装置と接続されるテレビジョン受像装置の構成および従来の情報記録装置と外部機器との接続状態を示すブロック図である。
【０００８】
図９において、テレビジョン受像装置２０は、モニタ２１、第１の選択部２２、外部入力端子２３、アナログ放送受信部２４、デジタル放送受信部２５、第１の入出力部２６、アナログ出力端子２７、情報出力部２８およびデコーダ２９を備える。
【０００９】
ここで、外部入力端子２３は外部機器からのアナログ信号を入力して第１の選択部２２に出力する。アナログ放送受信部２４はチューナー等からなり、放送チャンネルを選局して取得したアナログ放送信号を第１の選択部２２に出力する。デジタル放送受信部２５はチューナー等からなり、放送チャンネルを選局して取得したデジタル放送信号をデコーダ２９および第１の入出力部２６に出力する。デコーダ２９は入力されたデジタル放送信号をモニタ２１で出力できるようにアナログ信号に変換する。第１の選択部２２は入力される信号を選択していずれかの信号をモニタ２１およびアナログ出力端子２７に出力する。第１の選択部２２は、選択端子２２ａ、２２ｂ、２２ｃと固定端子２２ｄを有している。モニタ２１は第１の選択部２２から入力された信号を出力してユーザーの視聴に供する。第１の入出力部２６はＩＥＥＥ１３９４規格に規定されるインターフェイスの一部を構成し、アナログ出力端子２７は第１の選択部２２の出力であるアナログ放送信号を外部機器に出力するコンポジット端子やＳ映像端子等のアナログ信号端子である。情報出力部２８は、ＩＥＥＥ１３９４規格に基づくコネクト・ステータス・コマンドを受信したときに、第１の選択部２２からコネクト・ステータスすなわち第１の選択部２２の選択状態を取得して、ＩＥＥＥ１３９４規格に基づくコネクト・ステータス・レスポンスを第１の入出力部２６に出力する。
【００１０】
また、外部機器Ａ１３および外部機器Ｂ１４はそれぞれＩＥＥＥ１３９４規格に規定するインターフェイスを搭載し映像信号等のデジタル信号を送受信するＶＴＲ等の外部機器である。
【００１１】
次に、情報記録装置１１０は、制御部１０１、記録部１０３、第２の選択部１０４、第２の入出力部１０５、アナログ入力端子１０６、入力経路切換釦１１３、記録方式切換釦１１４および記録開始釦１１５を備える。
【００１２】
ここで、入力経路切換釦１１３は入力経路指定信号を、記録方式切換釦１１４は記録方式指定信号を、記録開始釦１１５は記録開始信号を、ユーザーの操作によりそれぞれ制御部１０１に対して発信する。制御部１０１は、受信した入力経路指定信号に従って第２の選択部１０４および第２の入出力部１０５を制御する機能、受信した記録方式指定信号に従って記録部１０３を制御する機能、および受信した記録開始信号を記録部１０３に発信する機能を有するマイコン等から構成される。記録部１０３はＤ−ＶＨＳ（登録商標）等の記録ユニットである。記録部１０３は、制御部１０１からデジタル方式で記録するよう指定する記録方式指定信号を受信したときはデジタル方式で記録するよう設定し、アナログ方式で記録するよう指定する記録方式指定信号を受信したときはアナログ方式で記録するよう設定する機能と、記録開始信号を受信したときに、第２の選択部１０４から入力されるデジタル放送信号またはアナログ放送信号を記録する機能とを有する。また、第２の選択部１０４は、アナログ入力端子１０６からのアナログ放送信号と第２の入出力部１０５からのデジタル放送信号とを制御部１０１の制御により選択して、いずれかの信号を記録部１０３に出力する。第２の選択部１０４は、選択端子１０４ａおよび１０４ｂと、固定端子１０４ｃを有する。第２の入出力部１０５はＩＥＥＥ１３９４規格に規定されるインターフェイスの一部を構成し、外部機器と通信を行って、入力されたデジタル放送信号を第２の選択部１０４に出力する。アナログ入力端子１０６はコンポジット端子やＳ映像端子等のアナログ信号端子であり、外部機器の出力であるアナログ放送信号を入力して第２の選択部１０４に出力する。
【００１３】
なお、テレビジョン受像装置２０、情報記録装置１１０、外部機器Ａ１３および外部機器Ｂ１４はＩＥＥＥ１３９４規格に規定されるデジタル・インターフェイスで接続されており、情報記録装置１１０とテレビジョン受像装置２０との接続は、第２の入出力部１０５と第１の入出力部２６との接続により確保されている。第２の入出力部１０５は、テレビジョン受像装置２０、外部機器Ａ１３または外部機器Ｂ１４のいずれかと通信する際には、通信に必要な情報を制御部１０１から取得することにより、所望の機器とのコネクションを確立して通信を可能にする。アナログ出力端子２７とアナログ入力端子１０６とが接続されており、情報記録装置１１０はテレビジョン受像装置２０からのアナログ放送信号を受信することができる。
【００１４】
以上のように構成された情報記録装置について、図９を用いて、ユーザーがモニタ２１に出力して視聴している信号またはその信号のアナログ変換前の信号を記録部１０３で記録するときの動作を説明する。
【００１５】
まず、ユーザーがモニタ２１にデジタル放送を出力して視聴している場合に、ユーザーが記録部１０３での記録を開始するときの動作について説明する。すなわち、これは、デジタル放送受信部２５で選局されたデジタル放送信号が第１の選択部２２の固定端子２２ｄと選択端子２２ａとを接続することによりデコーダ２９に供給され、デコーダ２９でアナログ化された信号がモニタ２１に出力されている場合での記録である。
【００１６】
まず、ユーザーは、モニタ２１に出力されている信号がデジタル放送受信部２５で選局したデジタル放送信号をデコーダ２９でアナログ化した信号であることと、そのデジタル放送信号が第１の入出力部２６から出力されていることを適切な方法で把握する。次に、ユーザーが入力経路釦１１３を操作して、第１の入出力部２６からデジタル放送信号を入力する旨の入力経路指定信号を制御部１０１に発信することにより、制御部１０１は第２の入出力部１０５に第１の入出力部２６とのコネクションを確立させるように制御すると共に、第２の選択部１０４に選択端子１０４ａと固定端子１０４ｃとを接続させるように制御する。次に、ユーザーが記録方式切換釦１１４を操作して、デジタル方式で記録する旨の記録方式指定信号を制御部１０１に対して発信する。こうすることにより、制御部１０１が記録部１０３を制御してデジタル方式で記録するように設定させる。次に、ユーザーが記録開始釦１１５を操作して制御部１０１に対して記録開始信号を発信し、制御部１０１は記録部１０３に対して記録開始信号を発信し、記録部１０３は記録を開始する。
【００１７】
次に、ユーザーがモニタ２１にアナログ放送を出力して視聴している場合、すなわち、第１の選択部２２の固定端子２２ｄと選択端子２２ｂとを接続することによりアナログ放送受信部２４で選局したアナログ放送信号をモニタ２１に出力している場合に、ユーザーが記録部１０３での記録を開始するときの動作について説明する。
【００１８】
まず、ユーザーは、モニタ２１に出力されている信号がアナログ放送受信部２４で選局したアナログ放送信号であり、そのアナログ放送信号がアナログ出力端子２７から出力されていることを適切な方法で把握する。次に、ユーザーが入力経路釦１１３を操作して、アナログ出力端子２７からアナログ放送信号を入力する旨の入力経路指定信号を制御部１０１に発信する。こうすることにより、制御部１０１が第２の選択部１０４を制御して選択端子１０４ｂと固定端子１０４ｃとを接続する。次に、ユーザーが記録方式切換釦１１４を操作して、アナログ方式で記録する旨の記録方式指定信号を制御部１０１に対して発信することにより、制御部１０１が記録部１０３を制御してアナログ方式で記録するように設定させる。次に、ユーザーが記録開始釦１１５を操作して制御部１０１に対して記録開始信号を発信し、制御部１０１は記録部１０３に対して記録開始信号を発信し、記録部１０３は記録を開始する。
【００１９】
以上の動作により、ユーザーが、モニタ２１への出力信号がどこから入力されたものなのか、すなわち第１の選択部２２の選択状態を把握するとともに、入力経路切換釦１１３、記録方式切換釦１１４および記録開始釦１１５の順に操作して入力経路および記録方式を設定して記録を開始する。こうすることにより、テレビジョン受像装置２０で視聴している映像等の信号を情報記録装置１１０に記録することができる。
【発明の開示】
【発明が解決しようとする課題】
【００２０】
しかしながら上記の従来の構成では、テレビジョン受像装置２０で視聴している信号を情報記録装置１１０に記録するためには、ユーザーはモニタ２１への出力信号がどこから入力されたものなのかを把握すると共に、入力経路切換釦１１３、記録方式切換釦１１４および記録開始釦１１５の順に操作して入力経路および記録方式を設定して記録を開始する必要があるため、操作性が悪いという問題点を有していた。
【００２１】
また、上記のユーザーの操作に誤りがあった場合には、ユーザーが意図していない信号を情報記録装置１１０で記録する場合があり、この点においても操作性が悪かった。例えば、テレビジョン受像装置２０でアナログ放送を受信してモニタ２１に出力して視聴しているときに、ユーザーがそのアナログ放送のアナログ放送信号を記録するよう意図しているにも関わらず、誤って第１の入出力部２６からのデジタル放送信号を記録するよう入力経路を設定した場合は、ユーザーが意図したアナログ放送は記録されずにデジタル放送が記録される。また逆に、テレビジョン受像装置２０でデジタル放送を受信しているときに、ユーザーがそのデジタル放送のデジタル放送信号を記録するよう意図しているにも関わらず、誤ってアナログ出力端子２７からのアナログ放送信号を記録するよう入力経路を設定した場合は、そのデジタル放送信号のアナログ化された信号がアナログ方式で情報記録装置１１０に受信され記録される。
【課題を解決するための手段】
【００２２】
情報記録装置は、デジタル放送信号またはアナログ放送信号のずれか一方を選択しモニタに出力する第１の選択部と、第１の選択部がいずれの信号を選択しているかを検知する情報出力部と、情報出力部の検知結果とデジタル放送信号を出力する第１の入出力部と、アナログ放送信号を出力するアナログ出力端子とを有するテレビジョン受像装置と接続され、少なくともデジタル放送信号およびアナログ放送信号のいずれかを記録する情報記録装置であって、第１の入出力部と接続する第２の入出力部と、アナログ出力端子と接続するアナログ入力端子と、情報出力部の検知結果を取得する情報取得部と、デジタル放送信号またはアナログ放送信号のいずれか一方を選択する第２の選択部と、第２の選択部で選択された信号をデジタル方式またはアナログ方式で記録する記録部と、情報取得部で取得された情報出力部の検知結果がデジタル放送信号を選択している旨の情報であるとき、第２の選択部にデジタル放送信号を選択させると共に記録部にデジタル方式で記録させ、情報取得部で取得された情報出力部の検知結果がアナログ放送信号を選択している旨の情報であるとき、第２の選択部にアナログ放送信号を選択させると共に記録部にアナログ方式で記録させるように制御する制御部と、を有する。
【００２３】
情報記録方法は、デジタル放送信号またはアナログ放送信号のずれか一方を選択しモニタに出力する第１の選択部と、第１の選択部がいずれの信号を選択しているかを検知する情報出力部と、情報出力部の検知結果とデジタル放送信号を出力する第１の入出力部と、アナログ放送信号を出力するアナログ出力端子とを有するテレビジョン受像装置と接続され、少なくともデジタル放送信号およびアナログ放送信号のいずれかを記録する情報記録方法であって、第１の入出力部と接続する工程と、アナログ出力端子と接続する工程と、情報出力部の検知結果を取得する工程と、デジタル放送信号またはアナログ放送信号のいずれか一方を選択する工程と、選択する工程で選択された信号をデジタル方式またはアナログ方式で記録する工程と、検知結果を取得する工程で取得された情報出力部の検知結果がデジタル放送信号を選択している旨の情報であるとき、選択する工程にデジタル放送信号を選択させると共に記録する工程にデジタル方式で記録させ、検知結果を取得する工程で取得された情報出力部の検知結果がアナログ放送信号を選択している旨の情報であるとき、選択する工程にアナログ放送信号を選択させると共に記録する工程にアナログ方式で記録させるように制御する工程と、を有する。
【発明の効果】
【００２４】
本発明の情報記録装置及び情報記録方法は、テレビジョン受像装置で視聴中の映像等の信号を簡単な操作で記録することができると共に、ユーザーの誤操作を防止できる。
【００２５】
また、本発明の情報記録装置及び情報記録方法は、記録部がハードディスクドライブ等のデジタル記録機であった場合でも、アナログ放送信号をデジタル信号に変換して記録することができる。
【発明を実施するための最良の形態】
【００２６】
以下、本発明の実施の形態について、図１乃至図８を用いて説明する。
【００２７】
（実施の形態１）
図１は、本発明の実施の形態１における情報記録装置の構成、本情報記録装置と接続されるテレビジョン受像装置の構成および本情報記録装置と外部機器との接続状態を示すブロック図である。
【００２８】
図１において、外部機器Ａ１３、Ｂ１４はＶＴＲ等の電子機器であり、ＩＥＥＥ１３９４規格に規定されたインターフェイスを備えている。このうち外部機器Ａ１３は、帯域レジスタ（図示せず）とチャンネルレジスタ（図示せず）とを有しており、バスの通信帯域を管理するＩＲＭ（Isochronous Resource Manager）としての機能を有する。また、外部機器Ｂ１４はバスに同期クロックを出力するサイクル・マスターとしての機能を有する。なお、テレビジョン受像装置２０の構成は、図９と同様であるため説明を省略する。
【００２９】
次に、情報記録装置１０、テレビジョン受像装置２０、外部機器Ａ１３および外部機器Ｂ１４の各接続状態について図１を用いて説明する。各機器の接続状態は、物理的には、テレビジョン受像装置２０と情報記録装置１０、情報記録装置１０と外部機器Ａ１３、外部機器Ａ１３と外部機器Ｂ１４とがそれぞれデイジーチェーン状に接続されている状態である。また、論理的には、それぞれの機器がＩＥＥＥ１３９４規格に規定されるバス上に接続された状態である。このバス上に接続された各機器は、バスを介して相互にデータ交換が可能であり、そのデータ交換の方式すなわち通信方式として、アシンクロナス通信およびアイソクロナス通信の２種類の通信方式のうちいずれかを選択してデータ交換を行う。
【００３０】
ここで、アシンクロナス通信は非同期である代わりにパケットロスの無い送信信頼性が保証された通信方式であり、それに対してアイソクロナス通信はリアルタイム性が保証されている通信方式である。従って、接続機器間での制御コマンドは、リアルタイム性よりも送信信頼性が重視されるためアシンクロナス通信で送信され、一方で放送信号等のリアルタイム性を要求される信号はアイソクロナス通信で送信される。
【００３１】
次に、本実施の形態１に係る情報記録装置について説明する。
【００３２】
情報記録装置１０は、制御部１、記憶部２、記録部３、第２の選択部４、第２の入出力部５、アナログ入力端子６、情報取得部７および操作釦８を備える。
【００３３】
ここで、操作釦８はユーザーの操作により記録開始信号を制御部１に発信する。
【００３４】
記憶部２は、第２の入出力部５でコネクションを確立するための、接続先としてのテレビジョン受像装置２０に関する情報（以下、接続情報という）を記憶し、制御部１にその接続情報を出力する。
【００３５】
制御部１は、次の機能を有するマイコン等から構成される。その機能は、第１に、記録開始信号を受信したとき、第２の入出力部５に対して制御信号としてのコネクション確立命令信号を発信すると共に、情報取得部７に対して制御信号としてのコマンド発信命令信号を発信する機能である。また第２に、コネクト・ステータス・レスポンスを示す信号に基づいて、記録部３に記録する信号の入力経路および記録部３の記録方式を決定して、第２の選択部４、第２の入出力部５および記録部３のそれぞれに対して制御信号を出力する機能である。
【００３６】
記録部３は、第２の選択部４から入力される信号を、制御部１から制御信号としてデジタル記録指定信号を受信したときはデジタル方式で、アナログ記録指定信号を受信したときはアナログ方式で記録するＤ−ＶＨＳ等の記録ユニットである。
【００３７】
第２の選択部４は、第２の入出力部５からのデジタル放送信号とアナログ入力端子６からのアナログ放送信号を選択して記録部３に出力する。第２の選択部４は、制御部１から制御信号としてのデジタル接続指定信号を受信したときはデジタル放送信号を、アナログ接続指定信号を受信したときはアナログ放送信号を選択する。なお、第２の選択部４は、選択端子４ａおよび４ｂと固定端子４ｃを有する。
【００３８】
第２の入出力部５は、ＩＥＥＥ１３９４規格に規定されるインターフェイスの一部を構成し、バス上のデジタル放送信号を入力して第２の選択部４または情報取得部７に出力する。この第２の入出力部５は、制御部１から制御信号としてのコネクション確立命令信号を受信したとき、制御部１から接続情報を取得して、その接続情報に基づいて第１の入出力部２６とのコネクションを確立して、テレビジョン受像装置２０とのデジタル方式による通信を可能にする。また、アナログ入力端子６は、アナログ出力端子２７の出力であるアナログ放送信号を入力して第２の選択部４に出力するアナログ信号端子であり、例えば、コンポジット端子やＳ映像端子等である。
【００３９】
情報取得部７は、制御部１からコマンド発信命令信号を受信したとき、テレビジョン受像装置２０の情報出力部２８に対して、第２の入出力部５および第１の入出力部２６からなるインターフェイスを介してコネクト・ステータス・コマンドを送信する。また、情報取得部７は、情報出力部２８から出力されるコネクト・ステータス・レスポンスを取得して、そのコネクト・ステータス・レスポンスに対応した信号を制御部１に出力する。
【００４０】
なお、デジタル放送信号と記載した場合は、映像信号、音声信号、文字データ等の信号またはこれらの組み合わせの信号をデジタル化したものを意味し、アナログ放送信号と記載した場合は、映像信号、音声信号の信号またはこれらの組み合わせの信号をアナログ化したものを意味する。また、記録部３は映像信号等の信号をデジタル方式またはアナログ方式で記録することができるものであれば良く、Ｄ−ＶＨＳに限定されるものではない。
【００４１】
また、情報取得部７から出力されるコネクト・ステータス・コマンドおよび情報出力部２８から出力されるコネクト・ステータス・レスポンスは、ＩＥＥＥ１３９４規格で規定されているＡＶＣコマンドである。
【００４２】
ここで、ＡＶＣコマンドはバス上に接続された機器間で交換される制御コマンドであり、パケットに変換された後アシンクロナス通信によりバス上に出力される。以下、このＡＶＣコマンドを構成するパケット構造、すなわちＡＶＣコマンドフレームについて図２を用いて説明する。併せて、コネクト・ステータス・コマンドおよびコネクト・ステータス・レスポンスについて説明する。
【００４３】
図２はＡＶＣコマンドのパケットを示した模式図である。図２において、ＣＴＳはコマンドの種類を表している。ＣＴＳ＝0000は、このＣＴＳが0000に設定されていることを意味しており、ＡＶＣコマンドセットであることを示す。また、ctype／responseは、当該パケットがコマンドであるか、レスポンスであるかを示しており、さらに、コマンドの場合はコマンドの機能分類を示し、レスポンスの場合はコマンドの処理結果の分類を示している。次に、subunit＿typeおよびsubunit＿idは送信先のサブユニットのアドレスを示しており、例えば、本発明の実施の形態１でテレビジョン受像装置２０のモニタ２１にＡＶＣコマンドを送信する際には、そのテレビジョン受像装置２０のモニタ２１を示すアドレスが割り当てられている。opcodeは命令動作を表し、operandは命令の付加的情報を表す。送信先ではopcodeとoperandとを基に送信元からのコマンドを実行する。従って、コネクト・ステータス・コマンドやコネクト・ステータス・レスポンスはctype／responseとopcodeとoperandとの組合せで構成される。
【００４４】
次に、コネクト・ステータス・コマンドがバス上に出力されたときの、バス上でのパケット状態について図１および図３を用いて説明する。ここで、図３はバス上でのデータパケットの通信サイクルを示した模式図である。
【００４５】
図３において、横軸５０は時間である。パケット５１、５５および５７は、バス上のタイミングを取るためのサイクル・スタート・パケットであり、サイクル・マスターである外部機器Ｂ１４がバス上にブロードキャストすることにより発生する。このサイクル・スタート・パケットの出力周期は典型的には１２５マイクロ秒と規定されている。また、パケット５２ａおよび５２ｂは、バス上に接続されたいずれかの機器がｃｈＳというチャンネルを利用してバスに出力しているアイソクロナス通信のパケットである。同様にパケット５３ａおよび５３ｂはｃｈＴというチャンネルを利用したアイソクロナス通信のパケットであり、パケット５４はｃｈＷというチャンネルを利用したアイソクロナス通信のパケットである。また、パケット５６は情報取得部７が第２の入出力部５を介して出力するコネクト・ステータス・コマンドとしてのアシンクロナス通信のパケットである。また、周期５８はパケット５１でその時間長が定義され、周期５９はパケット５５でその時間長が定義される。
【００４６】
次に、図３における各パケットが出力されるときの動作について説明する。まず、外部機器Ｂ１４がバス上にパケット５１を出力してバスクロックの１周期が開始される。ここで、サイクル・スタート・パケットの後つまりパケット５１の出力後には、アシンクロナス通信のパケットに優先してアイソクロナス通信のパケットが出力され、更にその後、周期５８内で送信のための帯域に余裕があれば、アシンクロナス通信のパケットが出力できることが、ＩＥＥＥ１３９４規格により規定されている。なお、この帯域の管理はＩＲＭである外部機器Ａ１３が行っている。そこで、パケット５１の出力の後には、アイソクロナス通信のパケットであるパケット５２ａ、５３ａ、５４が順番に出力され、その後に通信帯域に余裕があるかどうかを外部機器Ａ１３で判断する。外部機器Ａ１３は、周期５８では通信帯域に余裕がないと判断し、ＡＶＣコマンドが出力されないよう制御して、次の周期である周期５９に移行する。
【００４７】
次に、周期５９では、周期５８と同様に、外部機器Ｂ１４がバス上にパケット５５を出力してバスクロックの１周期が開始され、その後、アイソクロナス通信のパケットであるパケット５２ｂおよび５３ｂが出力される。ここで、ｃｈＷのパケット５４の出力が周期５８において完了したとすると、周期５９では送信帯域に余裕ができていることを外部機器Ａ１３が判断する。また、その判断によりアシンクロナス通信のパケットの出力が許可されて、情報取得部７がパケット５６をバス上に出力する。その後、外部機器Ｂ１４がパケット５７を出力して周期５９が終了する。
【００４８】
以上のようにして、ＡＶＣコマンドであるコネクト・ステータス・コマンドは情報取得部７からバス上に出力される。また、以下で述べるコネクト・ステータス・レスポンスについても上記と同様の方法でアシンクロナス通信のパケットとしてバス上に出力される。
【００４９】
次に、本発明の実施の形態１における情報記録装置の動作を説明するためのフローチャート図４について説明する。
【００５０】
図４において、ユーザーが操作釦８を操作することにより、操作釦８から制御部１に記録開始信号を発信する（ステップＳ１）。そうして、制御部１が情報取得部７に対してコマンド発信命令信号を発信することにより、その情報取得部７が第２の入出力部５を介してバス上にコネクト・ステータス・コマンドを発信する（ステップＳ２）。
【００５１】
ここで、コネクト・ステータス・コマンドの発信は、情報出力部２８を指定して図２に示すパケットをバス上に出力することにより行われる。より詳細に説明すると、図２において、情報取得部７は、CTSには0000を設定し、ctype／responseにはSTATUSコマンドである旨のコードである0001を設定し、subunit＿typeおよびsubunit＿idには情報出力部２８を示すサブユニットコードを設定し、opcodeには第１の選択部２２の選択状態を情報出力部２８で取得して情報取得部７に返信する旨のコードを設定して、そのＡＶＣコマンドフレームをバス上に出力する。
【００５２】
次に、情報出力部２８がコネクト・ステータス・コマンドをバス上から受信する。その受信により、情報出力部２８が第１の選択部２２からモニタ２１への出力状況、すなわち第１の選択部２２の選択状態を検知する（ステップＴ１）。
【００５３】
次に、情報出力部２８が第１の選択部２２の選択状態を基にコネクト・ステータス・レスポンスを作成してバス上に出力する（ステップＴ２）。ここで、コネクト・ステータス・レスポンスは図２に示すＡＶＣコマンドフレームのフォーマットを有するものであり、情報出力部２８は、第１の選択部２２の選択状態を検知することができたとき、このコネクト・ステータス・レスポンスを作成する。すなわち、情報出力部２８は、CTSにはＡＶＣコマンドセットであることを意味する0000を設定し、ctype／responseにはステータスが遷移中でなく安定していることを意味する1100を設定し、subunit＿typeおよびsubunit＿idには情報出力部２８を意味するコードを設定し、opcodeおよびoperandには第１の選択部２２の選択状態を意味するコードを設定する。作成されたコネクト・ステータス・レスポンスはアシンクロナス通信のパケットとして、図３に示すコネクト・ステータス・コマンドであるパケット５６と同様にバス上に出力される。
【００５４】
次に、情報取得部７が、第２の入出力部５を介してバス上のコネクト・ステータス・レスポンスを取得し、そのコネクト・ステータス・レスポンスに対応した信号を制御部１に発信する（ステップＳ３）。すなわち、コネクト・ステータス・レスポンスが第１の選択部２２で外部入力端子２３の出力またはアナログ放送受信部２４の出力を選択していることを示すときは、アナログ信号をモニタ２１で出力している旨を示す信号を情報取得部７が制御部１に発信する。コネクト・ステータス・レスポンスが第１の選択部２２でデジタル放送受信部２５の出力を選択していることを示すときは、デジタル放送信号をモニタ２１で出力している旨を示す信号を情報取得部７が制御部１に発信する。
【００５５】
次に、制御部１が、コネクト・ステータス・レスポンスに対応した信号を受信したとき、そのコネクト・ステータス・レスポンスに基づいてテレビジョン受像装置２０から記録部３への信号の入力経路を決定して、その入力経路を実現するために、第２の選択部４および第２の入出力部５に対して制御信号を出力する（ステップＳ４）。
【００５６】
ここで、ステップＳ４での処理内容を具体的に説明する。ステップＳ４での処理内容は、コネクト・ステータス・レスポンスの内容によって異なる。
【００５７】
まず、コネクト・ステータス・レスポンスが固定端子２２ｄと選択端子２２ａとが接続されているという内容である場合（以下、この場合のコネクト・ステータス・レスポンスをデジタル接続レスポンスという）を仮定する。この場合は、まず、制御部１は、記憶部２から接続情報を取得する。そうして、制御部１は、第２の入出力部５に対してその接続情報とコネクション確立命令信号とを、第２の選択部４に対してデジタル接続指定信号を、記録部３に対してデジタル記録指定信号をそれぞれ発信する。その後に、フローはステップＳ４からステップＳ５に移行する。
【００５８】
一方、情報取得部７から取得したコネクト・ステータス・レスポンスが固定端子２２ｄと選択端子２２ｂまたは２２ｃとが接続されているという内容である場合（以下、この場合のコネクト・ステータス・レスポンスをアナログ接続レスポンスという）、制御部１は、第２の選択部４に対してアナログ接続指定信号を発信すると共に記録部３に対してアナログ記録指定信号を発信する。その後に、フローはステップＳ４からステップＳ８に移行する。
【００５９】
デジタル接続レスポンスを受信した場合、制御部１が、記憶部２から接続情報を取得すると共に、第２の入出力部５に対してコネクション確立命令信号と接続情報とを発信し、その接続情報をもとに第２の入出力部５が第１の入出力部２６とのコネクションを確立する（ステップＳ５）。
【００６０】
ここで、ステップＳ５におけるコネクション確立の動作を、ステップＳ４からステップＳ５に移行した直後のシーケンスチャートである図５を参照しながら、より詳細に以下で説明する。
【００６１】
図５は、図１に示された情報記録装置１０、テレビジョン受像装置２０、及び外部機器Ａ１３の夫々での状態を示している。
【００６２】
まず、ステップＳ５に移行すると、情報記録装置１０がＩＲＭである外部機器Ａ１３に対して帯域とチャンネルを要求する（ステップＳ２１）。なお、この要求は、情報記録装置１０から外部機器Ａ１３にＡＶＣコマンドを送信することにより行われる。本発明の実施の形態１では帯域として２０マイクロ秒を要求したとする。すると、外部機器Ａ１３は帯域レジスタ７１の値を要求された分だけ下方に変更し（ステップＳ２２）、情報記録装置１０のために帯域を確保した旨のレスポンスをＡＶＣコマンドとして情報記録装置１０に返信する（ステップＳ２３）。次に、情報記録装置１０は、第１の入出力部２６に内蔵されているｏＰＣＲ（Output Plug Control Register）７２の一部であるｐｃｃ（point-to-point connection counter）に１を加算し（ステップＳ２４）、ｃｈ（channel number）にチャンネルＸを設定する。次に、情報記録装置１０は自らの第２の入出力部５に内蔵されているｉＰＣＲ（Input Plug Control Register）７３を設定する。具体的には、ｉＰＣＲ７３のｐｃｃに１を加算し、ｃｈにチャンネルＸを設定する（ステップＳ２５）。以上の動作により、帯域とチャンネルの確保ができ、テレビジョン受像装置２０から情報記録装置１０へのデジタル放送信号の受信が開始される（ステップＳ２６）。
【００６３】
このとき、テレビジョン受像装置２０から出力されるデジタル放送信号はパケットに変換されて、アイソクロナス通信のパケットとしてバス上に出力される。このデジタル放送信号の送信時のバス上でのパケットの状態を、図６を用いて説明する。
【００６４】
図６において、横軸６０は時間軸である。パケット６１および６５は外部機器Ｂ１４が出力するサイクル・スタート・パケットであり、パケット６２はテレビジョン受像装置２０から出力されるデジタル放送信号のパケットであり、チャンネルＸを利用して出力される。このパケット６２はアイソクロナス通信のパケットである。パケット６３はバス上に接続されたいずれかの機器からチャンネルＹを利用して出力されるアイソクロナス通信のパケットであり、パケット６４はバス上に接続されたいずれかの機器から出力されるアシンクロナス通信のパケットである。
【００６５】
次に、図６における各パケットが出力されるときの動作について説明する。まず、外部機器Ｂ１４がパケット６１を出力し、次に、テレビジョン受像装置２０がデジタル放送信号をパケット化して、パケット６２をバス上に出力する。このパケット６２は、外部機器Ａ１３からアイソクロナス通信のパケットとして取得したチャンネルＸを利用している。次に、パケット６３がチャンネルＹを利用して出力される。次に、バス上のアイソクロナス通信のパケットが全て出力された後、アシンクロナス通信のパケットであるパケット６４が出力される。その後、パケット６１の発生時から１周期分の時間である１２５マイクロ秒が経過すると、パケット６５が出力されて周期６６が完了する。周期６６以降、チャンネルＸを利用したコネクションが情報記録装置１０によって解除されるまで、デジタル放送信号はバス上に出力される。即ち、周期６６と同様の動作により、デジタル放送信号を変換したアイソクロナス通信のパケットがチャンネルＸを利用してバス上に出力され続ける。それによりデジタル放送信号のリアルタイムでの送信が実現できる。
【００６６】
なお、情報記録装置１０が外部機器Ａ１３に対してチャンネルを要求することによって、デジタル放送信号の受信に必要なｃｈＸを確保したため、ＩＥＥＥ１３９４の規定により情報記録装置１０でのみｃｈＸの設定を解除できる。すなわち、バス上の情報記録装置１０以外の機器を操作することによって、情報記録装置１０のデジタル放送信号の受信を阻害されるということはない。
【００６７】
以上の設定により、テレビジョン受像装置２０から情報記録装置１０に対して、チャンネルＸを使用したアイソクロナス通信によるデジタル放送信号の送信を開始できる。そうして、第２の選択部４がデジタル接続指定信号を受信したとき、第２の選択部４が固定端子４ｃと選択端子４ａとを接続する（ステップＳ６）。
【００６８】
次に、記録部３がデジタル記録指定信号を受信したとき、記録部３が第２の選択部４からデジタル放送信号を受信してデジタル記録方式で記録を開始する（ステップＳ７）。
【００６９】
一方、第２の選択部４がアナログ接続指定信号を受信したとき、第２の選択部４が固定端子４ｃと選択端子４ｂとを接続する（ステップＳ８）。記録部３がアナログ記録指定信号を受信したとき、記録部３が第２の選択部４からアナログ放送信号を受信してアナログ記録方式で記録を開始する（ステップＳ９）。
【００７０】
以上のように構成された情報記録装置１０について、図１乃至図５を用いて、ユーザーが、モニタ２１に出力して視聴しているアナログ放送信号またはデジタル放送信号を、記録部３で記録を開始するときの動作を説明する。
【００７１】
まず、ユーザーがモニタ２１にデジタル放送を出力して視聴している場合に、ユーザーが操作釦８を操作して記録部３での記録を開始するときの動作について説明する。すなわち、これは、デジタル放送受信部２５で選局されたデジタル放送信号が第１の選択部２２の固定端子２２ｄと選択端子２２ａとを接続することによりデコーダ２９に供給され、デコーダ２９でアナログ化された信号がモニタ２１に出力されている場合での記録である。
【００７２】
まず、ステップＳ１において、ユーザーが操作釦８を操作する。そうして、ステップＳ２において、情報取得部７がバス上にコネクト・ステータス・コマンドを発信する。すなわち、情報取得部７は、図２に示すＡＶＣコマンドフレームにおいてCTSには0000を設定し、ctype／responseにはSTATUSコマンドである旨のコードである0001を設定し、subunit＿typeおよびsubunit＿idにはモニタ２１を示すサブユニットコードを設定し、opcodeには第１の選択部２２の選択状態を情報出力部２８で取得して情報取得部７に返信する旨のコードを設定する。情報取得部７は、こうして、コネクト・ステータス・コマンドを作成して、そのコネクト・ステータス・コマンドを図３に示すアシンクロナス通信のパケット５６としてバス上に出力する。
【００７３】
次に、ステップＴ１において、情報出力部２８がコネクト・ステータス・コマンドを受信し、第１の選択部２２の選択状態を取得してコネクト・ステータス・レスポンスを作成する。すなわち、情報出力部２８は、図２に示すＡＶＣコマンドフレームにおいて、CTSにはＡＶＣコマンドセットであることを意味する0000を設定し、ctype／responseにはステータスが遷移中でなく安定していることを意味する1100を設定し、subunit＿typeおよびsubunit＿idにはモニタ２１を意味するコードを設定し、opcodeおよびoperandには第１の選択部２２の選択状態が固定端子２２ｄと選択端子２２ａとを接続している状態であることを意味するコードを設定することによりＡＶＣコマンドフレームを作成する。そして、情報出力部２８は、そのコネクト・ステータス・レスポンスをアシンクロナス通信のパケットに変換して、図３に示すパケット５６と同様にバス上に出力する（ステップＴ２）。ここでは、そのコネクト・ステータス・レスポンスが選択部２２の選択状態は固定端子２２ｄと選択端子２２ａとを接続している状態であることを示しているので、そのコネクト・ステータス・レスポンスはデジタル接続レスポンスである。
【００７４】
次に、ステップＳ３において、情報取得部７が、バスからデジタル接続レスポンスを取得して、制御部１に対してそのデジタル接続レスポンスに対応した信号を送信する。
【００７５】
次に、ステップＳ４において、制御部１が、第２の選択部４に対してデジタル接続指定信号を、また第２の入出力部５に対してコネクション確立命令信号と接続情報とをそれぞれ発信すると共に、記録部３に対してデジタル記録指定信号を発信する。
【００７６】
次に、ステップＳ５において、第２の入出力部５が第１の入出力部２６とのコネクションを確立し、ステップＳ６において、第２の選択部４が固定端子４ｃと選択端子４ａとを接続する。最後に、ステップＳ７において、第２の選択部４から入力されるデジタル放送信号を、記録部３がデジタル方式で記録を開始する。
【００７７】
以上のように動作させることによって、ユーザーが操作釦８を操作するだけで、視聴しているデジタル放送のデジタル放送信号を、記録部３にデジタル方式で記録することができる。即ち、ユーザーが操作釦８を操作するだけで、デジタル放送受信部２５、デコーダ２９、選択端子２２ａおよび固定端子２２ｄからなる経路を介してモニタ２１に出力して視聴しているデジタル放送の経路が自動的に検出される。そうして、デジタル放送受信部２５、第１の入出力部２６、第２の入出力部５、選択端子４ａおよび固定端子４ｃからなる経路が自動的に確立され、この経路を介して記録部３は視聴しているデジタル放送をデジタル方式により記録することができる。
【００７８】
次に、ユーザーがアナログ放送をモニタ２１に出力して視聴している場合、すなわち、第１の選択部２２の固定端子２２ｄと選択端子２２ｂとを接続することによりアナログ放送受信部２４で受信したアナログ放送信号をモニタ２１に出力している場合に、ユーザーが操作釦８を操作して、そのアナログ放送信号を記録部３で記録するときの動作について説明する。
【００７９】
まず、ステップＳ１において、ユーザーが操作釦８を操作し、ステップＳ２において、情報取得部７がバス上にコネクト・ステータス・コマンドを発信する。すなわち、情報取得部７は、図２に示すＡＶＣコマンドフレームにおいて、CTSには0000を設定し、ctype／responseにはSTATUSコマンドである旨のコードを示す0001を設定し、subunit＿typeおよびsubunit＿idには情報出力部２８を示すサブユニットコードを設定し、opcodeには第１の選択部２２の選択状態を情報出力部２８で取得して情報取得部７に返信する旨のコードを設定する。こうして、情報取得部７はコネクト・ステータス・コマンドを作成して、そのコネクト・ステータス・コマンドを図３に示すアシンクロナス通信のパケット５６としてバス上に出力する。
【００８０】
次に、ステップＴ１において、情報出力部２８がコネクト・ステータス・コマンドを受信し、第１の選択部２２の選択状態を取得してコネクト・ステータス・レスポンスを作成してバス上に出力する。すなわち、情報出力部２８は、図２に示すＡＶＣコマンドフレームにおいて、CTSにはＡＶＣコマンドセットであることを意味する0000を設定し、ctype／responseにはステータスが遷移中でなく安定していることを意味する1100を設定し、subunit＿typeおよびsubunit＿idには情報出力部２８を意味するコードを設定し、opcodeおよびoperandには第１の選択部２２の選択状態が固定端子２２ｄと選択端子２２ｂとを接続している状態であることを意味するコードを設定する。こうして、情報出力部２８は、コネクト・ステータス・レスポンスを作成する。そして、情報出力部２８は、そのコネクト・ステータス・レスポンスをアシンクロナス通信のパケットに変換して、図３に示すパケット５６と同様にバス上に出力する。ここで、そのコネクト・ステータス・レスポンスが選択部２２の選択状態は固定端子２２ｄと選択端子２２ｂとを接続している状態であることを示しているので、そのコネクト・ステータス・レスポンスはアナログ接続レスポンスである。
【００８１】
次に、ステップＳ３において、情報取得部７がバスから情報出力部２８の出力であるアナログ接続レスポンスを取得した後、制御部１に対してそのアナログ接続レスポンスに対応した信号を送信する。
【００８２】
次に、ステップＳ４において、制御部１が第２の選択部４に対してアナログ接続指定信号を、記録部３に対してアナログ記録指定信号をそれぞれ発信する。ステップＳ８において、第２の選択部４が固定端子４ｃと選択端子４ｂとを接続し、最後にステップＳ９において、第２の選択部４から入力されるアナログ放送信号を、記録部３がアナログ方式で記録する。
【００８３】
以上のように動作させることによって、ユーザーが操作釦８を操作するだけで、視聴しているアナログ放送のアナログ放送信号を、記録部３にアナログ方式で記録することができる。即ち、ユーザーが操作釦８を操作するだけで、アナログ放送受信部２４、選択端子２２ｂおよび固定端子２２ｄからなる経路を介してモニタ２１に出力して視聴しているアナログ放送の経路が自動的に検出される。そうして、アナログ放送受信部２４、選択端子２２ｂ、固定端子２２ｄ、アナログ出力端子２７、アナログ入力端子６、選択端子４ｂおよび固定端子４ｃからなる経路が自動的に確立され、この経路を介して記録部３は視聴しているアナログ放送をアナログ方式により記録することができる。
【００８４】
以上のように本実施の形態１によれば、テレビジョン受像装置２０から取得したコネクト・ステータス・レスポンスに基づいて、制御部１が第２の選択部４および第２の入出力部５を制御する。こうすることにより、ユーザーがテレビジョン受像装置２０のモニタ２１に出力して現在視聴している放送等の映像や音声あるいはデータ等の信号を、ユーザーは操作釦８を操作することのみにより、その信号が入力されるインターフェイスに合わせた記録方式で記録することができる。さらに、ユーザーの操作手順が簡単になるため、ユーザーは記録の際に操作を誤ることがなくなる。すなわち、テレビジョン受像装置２０で視聴中の映像等の信号を簡単な操作で記録することができると共に、ユーザーの誤操作を防止できる。
【００８５】
（実施の形態２）
本発明の実施の形態２に係る情報記録装置は、入力された信号がアナログ放送信号であるときもデジタル方式で記録し、そのために入力されたアナログ放送信号をデジタル化するエンコーダを設けた点で、実施の形態１に係る情報記録装置と相違する。
【００８６】
以下、この相違点を中心に、図７および図８を用いて実施の形態２に係る情報記録装置について説明する。なお、図７および図８において実施の形態１と同一の構成要素には同一の符号を付し説明を省略する。
【００８７】
図７は、本発明の実施の形態２における情報記録装置１２の構成、情報記録装置１２と接続されるテレビジョン受像装置２０の構成および情報記録装置１２と外部機器との接続状態を示すブロック図である。
【００８８】
図７において、エンコーダ９は、アナログ入力端子６を介して入力されたアナログ放送信号をデジタル化し、第２の選択部４に出力する回路等からなる。
【００８９】
また、記録部１１は第２の選択部４から入力された信号をデジタル方式で記録媒体に記録する。例えば、記録部１１としてはデジタルＶＴＲ、ハードディスクドライブ、光ディスクドライブ等のデジタル方式のみで記録するものが該当する。また、光ディスクドライブの例としては、ＤＶＤ−ＲＡＭドライブ、ＤＶＤ−ＲＷドライブ等が挙げられる。
【００９０】
次に、本実施の形態２に係る情報記録装置動作を説明するためのフローチャートである図８について説明する。ステップＳ８においてアナログ接続が確立された後、ステップＳ１０においてエンコーダ９がアナログ入力端子６を介して入力されたアナログ放送信号をデジタル化する。デジタル化された信号は第２の選択部４を介して記録部１１に出力され、次いでステップＳ７に移行する。
【００９１】
以上のように構成された情報記録装置１２について、図７および図８を用いて、ユーザーがアナログ放送をモニタ２１に出力して視聴している場合であって、ユーザーが操作釦８を操作して、そのアナログ放送信号を記録部３で記録するときの動作について説明する。すなわち、第１の選択部２２の固定端子２２ｄと選択端子２２ｂとを接続することによりアナログ放送受信部２４で受信されたアナログ放送信号をモニタ２１に出力している場合に、ユーザーが操作釦８を操作して、そのアナログ放送信号を記録部３で記録するときの動作について説明する。なお、ユーザーがデジタル放送をモニタ２１に出力して視聴している場合に、ユーザーが操作釦８を操作して、そのデジタル放送信号を記録部３で記録するときの動作は、実施の形態１に係る情報記録装置と同一であるため、説明を省略する。
【００９２】
まず、ステップＳ１において、ユーザーが操作釦８を操作し、ステップＳ２において、情報取得部７がバス上にコネクト・ステータス・コマンドを出力する。
【００９３】
次に、ステップＴ１において、まず情報出力部２８がバスからコネクト・ステータス・コマンドを受信し、第１の選択部２２の選択状態を取得してコネクト・ステータス・レスポンスを作成する。そして、情報出力部２８は、図３に示すアシンクロナス通信のパケット５６と同様に、そのコネクト・ステータス・レスポンスをパケットにしてバス上に送信する。ここでは、そのコネクト・ステータス・レスポンスが選択部２２の選択状態は固定端子２２ｄと選択端子２２ｂとを接続している状態であることを示しているので、そのコネクト・ステータス・レスポンスはアナログ接続レスポンスである。
【００９４】
次に、ステップＳ３において、情報取得部７がバスからアナログ接続レスポンスを取得した後、制御部１に対してそのアナログ接続レスポンスに対応した信号を送信する。次に、ステップＳ４において、制御部１が第２の選択部４に対してアナログ接続指定信号を発信する。
【００９５】
次に、ステップＳ８において、第２の選択部４が固定端子４ｃと選択端子４ｂとが接続され、ステップＳ１０において、アナログ入力端子６を介して入力されたアナログ放送信号をエンコーダ９がデジタル信号に変換し第２の選択部４に出力する。最後にステップＳ９において、第２の選択部４から入力された信号を、記録部３がデジタル方式で記録を開始する。
【００９６】
以上のように本実施の形態２によれば、実施の形態１による作用効果に加え、エンコーダ９を設けたことにより、記録部１１がハードディスクドライブ等のデジタル記録機であった場合でも、アナログ入力端子６を介して入力されるアナログ放送信号をデジタル信号に変換して記録することができる。
【００９７】
なお、エンコーダ９は、アナログ放送信号をデジタル信号に変換する際に、圧縮処理を施しても良い。
【００９８】
以上のように本発明の情報記録装置は、デジタル放送受信機能とデジタルインターフェイスとを有するテレビとデジタルインターフェイスを用いて接続した場合において、モニタに入力される信号の選択状態をユーザーが意識することなく、テレビジョン受像装置で視聴中の映像等の信号を簡単な操作で記録することができる。また、本発明の情報記録装置は、ユーザーの誤操作を防止できるという優れた効果を有する。更に、本発明の情報記録装置は、記録部がハードディスクドライブ等のデジタル記録機であった場合でも、アナログ放送信号をデジタル信号に変換して記録することができる。
【産業上の利用可能性】
【００９９】
本発明の情報記録装置及び情報記録方法は、テレビジョン受像装置で視聴中の映像等の信号を簡単な操作で記録することができると共に、ユーザーの誤操作を防止できる。
【０１００】
また、本発明の情報記録装置及び情報記録方法は、記録部がハードディスクドライブ等のデジタル記録機であった場合でも、アナログ放送信号をデジタル信号に変換して記録することができる。
【図面の簡単な説明】
【０１０１】
【図１】本発明の実施の形態１における情報記録装置の構成を示すブロック図
【図２】ＡＶＣコマンドフレームの構成を示す模式図
【図３】バス上のパケットの状態を示す模式図
【図４】本発明の実施の形態１における情報記録装置の動作を説明するためのフローチャート
【図５】コネクション確立時の動作を説明するためのシーケンスチャート
【図６】バス上のパケットの状態を示す模式図
【図７】本発明の実施の形態２における情報記録装置の構成を示すブロック図
【図８】同発明の実施の形態２における情報記録装置の動作を説明するためのフローチャート
【図９】従来の情報記録装置の構成を示すブロック図
【符号の説明】
【０１０２】
１  制御部
２  記憶部
３、１１  記録部
４  第２の選択部
４ａ、４ｂ  第２の選択部の選択端子
４ｃ  第２の選択部の固定端子
５  第２の入出力部
６  アナログ入力端子
７  情報取得部
８  操作釦
９  エンコーダ
１０、１２  情報記録装置
２０  テレビジョン受像装置
２１  モニタ
２２  第１の選択部
２２ａ、２２ｂ、２２ｃ  第１の選択部の選択端子
２２ｄ  第１の選択部の固定端子
２３  外部入力端子
２４  アナログ放送受信部
２５  デジタル放送受信部
２６  第１の入出力部
２７  アナログ出力端子
２８  情報出力部
２９  デコーダ
【手続補正３】
【補正対象書類名】図面
【補正対象項目名】全図
【補正方法】変更
【補正の内容】
【図１】
2003098623.tif 000012
【図２】
2003098623.tif 000013
【図３】
2003098623.tif 000014
【図４】
2003098623.tif 000015
【図５】
2003098623.tif 000016
【図６】
2003098623.tif 000017
【図７】
2003098623.tif 000018
【図８】
2003098623.tif 000019
【図９】
2003098623.tif 000020
【国際調査報告】
2003098623.tif 000021
2003098623.tif 000022
2003098623.tif 000023
2003098623.tif 000024